(57)【要約】  静電容量式センサーデバイスのための干渉を防止する方法において、トランスミッタ信号が、静電容量式センサーデバイスのトランスミッタ電極によって送信される。結果として生じた信号が、静電容量式センサーデバイスのレシーバ電極によって受信される。結果として生じた信号は、トランスミッタ信号に対応する。第１の復調された出力が、結果として生じた信号を第１の手法で復調することによって取得される。第２の復調された出力が、結果として生じた信号を第１の手法と異なる第２の手法で復調することによって取得される。位置情報を決定するために第１の復調された出力を使用することから、位置情報を決定するために第２の復調された出力を使用することへの切り替えが行われる。切り替えは、干渉の量に少なくとも部分的に基づく。【選択図】  図１Ａ
2013521548.tif 000002
【特許請求の範囲】
【請求項１】
静電容量式センサーデバイスのための干渉を防止する方法であって、
前記静電容量式センサーデバイスのトランスミッタ電極によってトランスミッタ信号を送信するステップと、
前記トランスミッタ信号に対応する結果として生じた信号を前記静電容量式センサーデバイスのレシーバ電極によって受信するステップと、
前記結果として生じた信号を第１の手法で復調するサブステップによって第１の復調された出力を取得するステップと、
前記結果として生じた信号を前記第１の手法と異なる第２の手法で復調するサブステップによって第２の復調された出力を取得するステップと、
干渉の量に少なくとも部分的に基づいて、位置情報を決定するために前記第１の復調された出力を使用することから、位置情報を決定するために前記第２の復調された出力を使用することへ切り替えるステップとを含む、方法。
【請求項２】
前記干渉の量が第１の量未満であるとき、前記第１の復調された出力に基づいて前記トランスミッタ電極と前記レシーバ電極の間のトランスキャパシタンスカップリングの変化の測定値を決定するステップと、
前記位置情報の決定に前記測定値を使用するステップとをさらに含む請求項１に記載の方法。
【請求項３】
前記干渉の量が第１の量を超えるとき、前記第２の復調された出力に基づいて前記トランスミッタ電極と前記レシーバ電極の間のトランスキャパシタンスカップリングの変化の測定値を決定するステップと、
前記位置情報の決定に前記測定値を使用するステップとをさらに含む請求項１に記載の方法。
【請求項４】
トランスミッタ電極によってトランスミッタ信号を送信する前記ステップが、
前記トランスミッタ信号がディスプレイデバイスの行の更新に関連する非表示更新期間中に発生する少なくとも２つの遷移を含むように前記トランスミッタ信号を送信するサブステップであり、前記ディスプレイデバイスが前記静電容量式センサーデバイスの感知領域に少なくとも部分的に重なる、サブステップを含む請求項１に記載の方法。
【請求項５】
前記結果として生じた信号を第２の手法で復調する前記サブステップが、
前記第１の手法とは異なるようにサンプルを重みづけすることを含む請求項１に記載の方法。
【請求項６】
前記結果として生じた信号を第２の手法で復調する前記サブステップが、
前記第１の手法とは異なる位相でサンプリングすることを含む請求項１に記載の方法。
【請求項７】
前記結果として生じた信号を第２の手法で復調する前記サブステップが、
前記第１の手法とは異なる数のサンプルを利用することを含む請求項１に記載の方法。
【請求項８】
前記結果として生じた信号を第２の手法で復調する前記サブステップが、
前記第１の手法とは異なるサンプル間時間間隔を利用することを含む請求項１に記載の方法。
【請求項９】
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、前記第１の復調された出力の測定値に基づく、サブステップを含む請求項１に記載の方法。
【請求項１０】
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、前記第２の復調された出力の測定値に基づく、サブステップを含む請求項１に記載の方法。
【請求項１１】
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、第３の復調された出力の測定値に基づき、前記第３の復調された出力が、第２の結果として生じた信号を前記第１の手法及び前記第２の手法のうちの１つで復調することによって取得され、前記第２の結果として生じた信号が、トランスミッタ信号が前記トランスミッタ電極によって送信されていない期間中に前記レシーバ電極によって受信される、サブステップを含む請求項１に記載の方法。
【請求項１２】
静電容量式センサーデバイス及びディスプレイデバイスと通信可能なように結合された処理システムであって、
前記静電容量式センサーデバイスのトランスミッタ電極によってトランスミッタ信号を送信するように構成されたトランスミッタ回路と、
前記トランスミッタ信号に対応する結果として生じた信号を前記静電容量式センサーデバイスのレシーバ電極によって受信するように構成されたレシーバ回路と、
復調回路であり、
前記結果として生じた信号を第１の手法で復調することによって第１の復調された出力を取得し、
前記結果として生じた信号を前記第１の手法と異なる第２の手法で復調することによって第２の復調された出力を取得するように構成された、復調回路と、
干渉の量に少なくとも部分的に基づいて、位置情報を決定するために前記第１の復調された出力を使用することから、位置情報を決定するために前記第２の復調された出力を使用することへ前記復調回路を切り替えるように構成された復調種類セレクタとを備える、処理システム。
【請求項１３】
前記干渉の量が第１の量を超えないとき、前記第１の復調された出力に基づいて前記トランスミッタ電極と前記レシーバ電極の間のトランスキャパシタンスカップリングの変化の測定値を決定し、
前記位置情報の決定に前記測定値を利用するように構成された計算回路をさらに備える請求項１２に記載の処理システム。
【請求項１４】
前記干渉の量が第１の量を超えるとき、前記第２の復調された出力に基づいて前記トランスミッタ電極と前記レシーバ電極の間のトランスキャパシタンスカップリングの変化の測定値を決定し、
前記位置情報の決定に前記測定値を利用するように構成された計算回路をさらに備える請求項１２に記載の処理システム。
【請求項１５】
前記結果として生じた信号を第２の手法で復調することによって第２の復調された出力を取得するように構成された前記復調回路が、
前記第１の手法とは異なるようにサンプルを重みづけするように構成されている前記復調回路を備える請求項１２に記載の処理システム。
【請求項１６】
前記結果として生じた信号を第２の手法で復調することによって第２の復調された出力を取得するように構成された前記復調回路が、
前記第１の手法とは異なる位相でサンプリングするように構成されている前記復調回路を備える請求項１２に記載の処理システム。
【請求項１７】
前記結果として生じた信号を第２の手法で復調することによって第２の復調された出力を取得するように構成された前記復調回路が、
前記第１の手法とは異なる数のサンプルを利用するように構成されている前記復調回路を備える請求項１２に記載の処理システム。
【請求項１８】
前記結果として生じた信号を第２の手法で復調することによって第２の復調された出力を取得するように構成された前記復調回路が、
前記第１の手法とは異なるサンプル間時間間隔を利用するように構成されている前記復調回路を備える請求項１２に記載の処理システム。
【請求項１９】
表示更新とタッチ感知の両方のために構成された複合電極を備えるディスプレイデバイスと、
静電容量式感知デバイスのレシーバ電極であり、前記複合電極の近くに配置され、タッチ感知のために構成された、レシーバ電極と、
前記複合電極及び前記レシーバ電極と通信可能なように結合された処理システムであり、
前記複合電極によってトランスミッタ信号を送信し、
前記トランスミッタ信号に対応する結果として生じた信号を前記静電容量式センサーデバイスのレシーバ電極によって受信し、
前記結果として生じた信号を第１の手法で復調することによって第１の復調された出力を取得し、
前記結果として生じた信号を前記第１の手法と異なる第２の手法で復調することによって第２の復調された出力を取得し、
干渉の量に少なくとも部分的に基づいて、位置情報を決定するために前記第１の復調された出力を使用することから、位置情報を決定するために前記第２の復調された出力を使用することへ切り替えるように構成された、処理システムとを備える入力デバイス。
【請求項２０】
前記処理システムが、
前記干渉の量が第１の量を超えないとき、前記第１の復調された出力に基づいて前記複合電極と前記レシーバ電極の間のトランスキャパシタンスカップリングの変化の第１の測定値を決定し、
前記干渉の量が第１の量を超えるとき、前記第２の復調された出力に基づいて前記複合電極と前記レシーバ電極の間のトランスキャパシタンスカップリングの変化の第２の測定値を決定し、
前記位置情報の決定に前記第１の測定値及び前記第２の測定値のうちの１つを利用するようにさらに構成される請求項１９に記載の入力デバイス。
【請求項２１】
一体化された静電容量式センサーデバイス及びディスプレイデバイスにおいて干渉を防止する方法であって、
前記一体化された静電容量式センサーデバイス及びディスプレイデバイスの複合電極によって第１の周波数を有する第１のトランスミッタ信号を送信するステップであり、前記複合電極が、静電容量式感知と表示更新の両方のために構成される、ステップと、
前記ディスプレイデバイスの少なくとも１つの非表示更新期間の継続時間を変えるサブステップにより、前記複合電極によって前記第１のトランスミッタ信号を送信することから、前記複合電極によって第２のトランスミッタ信号を送信することへ切り替えるステップであり、前記第２のトランスミッタ信号が、第２の周波数を有し、切り替える前記ステップが、干渉の量に少なくとも部分的に基づいて発生する、ステップとを含む、方法。
【請求項２２】
前記第１のトランスミッタ信号を用いて前記ディスプレイデバイスを更新するステップをさらに含む請求項２１に記載の方法。
【請求項２３】
前記第１のトランスミッタ信号に対応する結果として生じた信号をレシーバ電極によって受信するステップと、
前記結果として生じた信号に基づいて、前記複合電極と前記レシーバ電極の間のトランスキャパシタンスカップリングの変化の第１の測定値を決定するステップと、
前記第１の測定値に基づいて位置情報を決定するステップとをさらに含む請求項２１に記載の方法。
【請求項２４】
少なくとも１つの非表示更新期間の継続時間を変える前記サブステップが、
前記ディスプレイデバイスの行の更新に関連する非表示更新期間の継続時間を増やすことを含む請求項２１に記載の方法。
【請求項２５】
少なくとも１つの非表示更新期間の継続時間を変える前記サブステップが、
前記ディスプレイデバイスの行の更新に関連する非表示更新期間の継続時間を減らすことを含む請求項２１に記載の方法。
【請求項２６】
前記複合電極によって前記第１のトランスミッタ信号を送信することから、前記複合電極によって第２のトランスミッタ信号を送信することへ切り替える前記ステップが、前記ディスプレイデバイスのリフレッシュレートを変更しない請求項２１に記載の方法。
【請求項２７】
前記第１のトランスミッタ信号が、前記ディスプレイデバイスの行の更新に関連する非表示更新期間中に発生する少なくとも２つの遷移を含む請求項２１に記載の方法。
【請求項２８】
静電容量式センサーデバイス及びディスプレイデバイスと通信可能なように結合された処理システムであって、
複合電極を用いて第１の周波数を有する第１のトランスミッタ信号を送信するように構成されたトランスミッタ回路であり、前記複合電極が、表示更新とタッチ感知の両方のために構成される、トランスミッタ回路と、
前記第１のトランスミッタ信号に対応する結果として生じた信号を前記静電容量式センサーデバイスのレシーバ電極を用いて受信するように構成されたレシーバ回路と、
前記ディスプレイデバイスの少なくとも１つの非表示更新期間の継続時間を変更するように構成された継続時間チェンジャーであり、継続時間の前記変更が、前記複合電極によって前記第１のトランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、継続時間チェンジャーとを備える、処理システム。
【請求項２９】
前記複合電極を用いて前記ディスプレイデバイスの表示更新機能を実行するように構成された表示更新回路をさらに備える請求項２８に記載の処理システム。
【請求項３０】
前記表示更新回路が、前記第１のトランスミッタ信号を前記ディスプレイデバイスを更新するための表示更新信号として使用することによって前記表示更新機能を実行するように構成される請求項２９に記載の処理システム。
【請求項３１】
前記継続時間チェンジャーが、前記ディスプレイデバイスの行の更新に関連する非表示更新期間の継続時間を増やすことによって前記少なくとも１つの非表示更新期間の前記継続時間を変更するように構成される請求項２８に記載の処理システム。
【請求項３２】
前記継続時間チェンジャーが、前記ディスプレイデバイスの行の更新に関連する非表示更新期間の継続時間を減らすことによって前記少なくとも１つの非表示更新期間の前記継続時間を変更するように構成される請求項２８に記載の処理システム。
【請求項３３】
前記第１のトランスミッタ信号が、前記ディスプレイデバイスの行の更新に関連する少なくとも１つの非表示更新期間中に発生する少なくとも２つの遷移を含む請求項２８に記載の処理システム。
【請求項３４】
前記結果として生じた信号に基づいて、前記複合電極と前記レシーバ電極の間のトランスキャパシタンスカップリングの変化の第１の測定値を決定し、
前記第１の測定値に基づいて位置情報を決定するように構成される請求項２８に記載の処理システム。
【請求項３５】
表示更新とタッチ感知の両方のために構成された複合電極を備えるディスプレイデバイスと、
前記複合電極の近くのレシーバ電極であり、タッチ感知のために構成された、レシーバ電極と、
前記複合電極及び前記レシーバ電極と通信可能なように結合された処理システムであり、
前記複合電極を用いて第１の周波数を有する第１のトランスミッタ信号を送信し、
前記第１のトランスミッタ信号に対応する結果として生じた信号を前記レシーバ電極を用いて受信し、
前記ディスプレイデバイスの少なくとも１つの非表示更新期間の継続時間を変更するように構成され、継続時間の前記変更が、前記複合電極によって前記第１のトランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、処理システムとを備えるタッチスクリーンデバイス。
【請求項３６】
前記処理システムが、前記複合電極を用いて前記ディスプレイデバイスの表示更新機能を実行するように構成される請求項３５に記載のタッチスクリーンデバイス。
【請求項３７】
前記処理システムが、前記第１のトランスミッタ信号を前記ディスプレイデバイスを更新するための表示更新信号として使用することによって、前記複合電極を用いて前記ディスプレイデバイスの前記表示更新機能を実行するように構成される請求項３６に記載のタッチスクリーンデバイス。
【請求項３８】
前記処理システムが、前記ディスプレイデバイスの行の更新に関連する非表示更新期間の継続時間を増やすことによって前記少なくとも１つの非表示更新期間の前記継続時間を変更するように構成される請求項３５に記載のタッチスクリーンデバイス。
【請求項３９】
前記処理システムが、前記ディスプレイデバイスの行の更新に関連する非表示更新期間の継続時間を減らすことによって前記少なくとも１つの非表示更新期間の前記継続時間を変更するように構成される請求項３５に記載のタッチスクリーンデバイス。
【請求項４０】
前記トランスミッタ信号が、前記ディスプレイデバイスの行の更新に関連する少なくとも１つの非表示更新期間中に発生する少なくとも２つの遷移を含む請求項３５に記載のタッチスクリーンデバイス。
【請求項４１】
一体化された静電容量式センサーデバイス及びディスプレイデバイスを用いた静電容量式感知の方法であって、
前記一体化された静電容量式センサーデバイス及びディスプレイデバイスの複合電極によってトランスミッタ信号を送信するステップであり、前記複合電極が、静電容量式感知と表示更新の両方のために構成され、前記トランスミッタ信号が、前記ディスプレイデバイスの行更新に関連する非表示更新期間中に少なくとも２回遷移する、ステップと、
更新期間中に前記ディスプレイデバイスの表示を更新するステップと、
前記トランスミッタ信号に対応する結果として生じた信号を、前記非表示更新期間中に前記一体化された静電容量式センサーデバイス及びディスプレイデバイスのレシーバ電極によって受信するステップとを含む、方法。
【請求項４２】
前記結果として生じた信号に基づいて、前記複合電極と前記レシーバ電極の間のトランスキャパシタンスカップリングの変化の第１の測定値を決定するステップと、
前記第１の測定値に基づいて位置情報を決定するステップとをさらに含む請求項４１に記載の方法。
【請求項４３】
前記結果として生じた信号を第１の手法で復調するサブステップによって第１の復調された出力を取得するステップと、
前記結果として生じた信号を前記第１の手法と異なる第２の手法で復調するサブステップによって第２の復調された出力を取得するステップと、
干渉の量に少なくとも部分的に基づいて、位置情報を決定するために前記第１の復調された出力を使用することから、位置情報を決定するために前記第２の復調された出力を使用することへ切り替えるステップとをさらに含む請求項４１に記載の方法。
【請求項４４】
前記干渉の量が第１の量を超えないとき、前記第１の復調された出力に基づいて前記複合電極と前記レシーバ電極の間のトランスキャパシタンスカップリングの変化の測定値を決定するステップと、
前記位置情報の決定に前記測定値を使用するステップとをさらに含む請求項４３に記載の方法。
【請求項４５】
前記干渉の量が第１の量を超えるとき、前記第２の復調された出力に基づいて前記複合電極と前記レシーバ電極の間のトランスキャパシタンスカップリングの変化の測定値を決定するステップと、
前記位置情報の決定に前記測定値を使用するステップとをさらに含む請求項４３に記載の方法。
【請求項４６】
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、第３の復調された出力の測定値に基づき、前記第３の復調された出力が、第２の結果として生じた信号を前記第１の手法及び前記第２の手法のうちの１つで復調することによって取得され、前記第２の結果として生じた信号が、トランスミッタ信号が前記複合電極によって送信されていない期間中に前記レシーバ電極によって受信される、サブステップを含む請求項４３に記載の方法。
【請求項４７】
前記トランスミッタ信号が第１の周波数を有し、前記方法が、
前記ディスプレイデバイスの少なくとも１つの非表示更新期間の継続時間を変えるサブステップにより、前記第１の周波数を有する前記トランスミッタ信号を送信することから、第２の周波数を有する第２のトランスミッタ信号を送信することへ切り替えるステップであり、干渉の量に少なくとも部分的に基づいて発生する、ステップをさらに含む請求項４１に記載の方法。
【請求項４８】
少なくとも１つの非表示更新期間の継続時間を変える前記サブステップが、
前記ディスプレイデバイスの行更新に関連する前記非表示更新期間の継続時間を増やすことを含む請求項４７に記載の方法。
【請求項４９】
少なくとも１つの非表示更新期間の継続時間を変える前記サブステップが、
前記ディスプレイデバイスの行更新に関連する前記非表示更新期間の継続時間を減らすことを含む請求項４７に記載の方法。
【請求項５０】
トランスミッタ信号を送信する前記ステップが、
前記トランスミッタ信号を、前記一体化された静電容量式センサーデバイス及びディスプレイデバイスの前記ディスプレイデバイスを更新するための表示更新信号として送信するサブステップを含む請求項４１に記載の方法。
【請求項５１】
ディスプレイデバイスの行更新に関連する非表示更新期間中に一体化された静電容量式センサーデバイス及び前記ディスプレイデバイスの複合電極によってトランスミッタ信号を送信するように構成されたトランスミッタ回路であり、前記トランスミッタ信号が、前記ディスプレイデバイスの行更新に関連する前記非表示更新期間中に少なくとも２回遷移し、前記複合電極が、静電容量式感知と表示更新の両方のために構成される、トランスミッタ回路と、
前記トランスミッタ信号に対応する結果として生じた信号を、前記非表示更新期間中にレシーバ電極によって受信するように構成されたレシーバ回路とを備える処理システム。
【請求項５２】
前記結果として生じた信号に基づいて、前記複合電極と前記レシーバ電極の間のトランスキャパシタンスカップリングの第１の測定値を決定し、
位置情報の決定に前記第１の測定値を使用するように構成される請求項５１に記載の処理システム。
【請求項５３】
前記トランスミッタ回路が、
前記ディスプレイデバイスのための表示更新信号を送信するように構成され、前記表示更新信号が、前記複合電極によって送信される請求項５１に記載の処理システム。
【請求項５４】
復調回路であり、
前記結果として生じた信号を第１の手法で復調することによって第１の復調された出力を取得し、
前記結果として生じた信号を前記第１の手法と異なる第２の手法で復調することによって第２の復調された出力を取得するように構成された、復調回路と、
干渉の量に少なくとも部分的に基づいて、位置情報を決定するために前記第１の復調された出力を使用することから、位置情報を決定するために前記第２の復調された出力を使用することへ前記復調回路を切り替えるように構成された復調種類セレクタとをさらに備える請求項５１に記載の処理システム。
【請求項５５】
前記処理システムが、前記トランスミッタ回路を利用して第１の周波数を有する前記トランスミッタ信号を送信するように構成され、
前記ディスプレイデバイスの少なくとも１つの非表示更新期間の継続時間を変更するように構成された継続時間チェンジャーであり、継続時間の前記変更が、前記複合電極によって前記第１のトランスミッタ信号を送信することから、前記複合電極によって第２のトランスミッタ信号を送信することへ前記トランスミッタ回路を切り替えさせ、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、継続時間チェンジャーをさらに備える請求項５１に記載の処理システム。
【請求項５６】
表示更新とタッチ感知の両方のために構成された複合電極を備えるディスプレイデバイスと、
前記複合電極の近くのレシーバ電極であり、タッチ感知のために構成された、レシーバ電極と、
前記ディスプレイデバイスと通信可能なように結合された処理システムであり、
前記ディスプレイデバイスの行更新に関連する非表示更新期間中に少なくとも２回遷移するトランスミッタ信号を、前記ディスプレイデバイスの行更新に関連する前記非表示更新期間中に前記複合電極によって送信し、
前記トランスミッタ信号に対応する結果として生じた信号を、前記非表示更新期間中に前記レシーバ電極によって受信するように構成された、処理システムとを備えるタッチスクリーンデバイス。
【請求項５７】
前記処理システムが、
前記結果として生じた信号に基づいて、前記複合電極と前記レシーバ電極の間のトランスキャパシタンスカップリングの変化の測定値を決定し、
前記測定値に基づいて位置情報を決定するように構成される請求項５６に記載のタッチスクリーンデバイス。
【請求項５８】
前記処理システムが、
前記ディスプレイデバイスのための表示更新信号を送信するように構成され、前記表示更新信号が、前記複合電極によって送信される請求項５６に記載のタッチスクリーンデバイス。
【請求項５９】
前記処理システムが、
前記結果として生じた信号を第１の手法で復調することによって第１の復調された出力を取得し、
前記結果として生じた信号を前記第１の手法と異なる第２の手法で復調することによって第２の復調された出力を取得し、
干渉の量に少なくとも部分的に基づいて、位置情報を決定するために前記第１の復調された出力を使用することから、位置情報を決定するために前記第２の復調された出力を使用することへ切り替えるようにさらに構成される請求項５６に記載のタッチスクリーンデバイス。
【請求項６０】
前記処理が、
第１の周波数を有する前記トランスミッタ信号を送信し、
前記ディスプレイデバイスの少なくとも１つの非表示更新期間の継続時間を変更するように構成され、継続時間の前記変更が、前記複合電極によって前記トランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する請求項５６に記載のタッチスクリーンデバイス。
【発明の詳細な説明】
【関連出願の相互参照】
【０００１】
[0001]本願は、２０１０年２月２６日に出願され、本非仮出願の譲受人に譲渡された同時係属中の米国特許仮出願第６１／３０８８６４号の優先権及び利益を主張するものであり、この米国特許仮出願は、その全体が参照により本明細書に援用される。
【０００２】
[0002]本願は、２０１０年７月３０日に出願され、本非仮出願の譲受人に譲渡された同時係属中の米国特許仮出願第６１／３６９６１７号の優先権及び利益を主張するものであり、この米国特許仮出願は、その全体が参照により本明細書に援用される。
【０００３】
[0003]本願は、本非仮出願の譲受人に譲受された、代理人整理番号ＳＹＮＡ−２００９１２０７−Ａ１Ａの、「Ｖａｒｙｉｎｇ  Ｄｅｍｏｄｕｌａｔｉｏｎ  ｔｏ  Ａｖｏｉｄ  Ｉｎｔｅｒｆｅｒｅｎｃｅ」と題され、２０１１年２月２４日に出願されたＪｏｓｅｐｈ  Ｋｕｒｔｈ  Ｒｅｙｎｏｌｄｓらによる米国特許出願第 号に関連する。本明細書において繰り返されない限り、この関連特許出願の内容は、参照により本明細書に援用される。
【０００４】
[0004]本願は、本非仮出願の譲受人に譲受された、代理人整理番号ＳＹＮＡ−２００９１２０７−Ａ１Ｂの、「Ｓｈｉｆｔｉｎｇ  Ｃａｒｒｉｅｒ  Ｆｒｅｑｕｅｎｃｙ  ｔｏ  Ａｖｏｉｄ  Ｉｎｔｅｒｆｅｒｅｎｃｅ」と題され、２０１１年２月２４日に出願されたＪｏｓｅｐｈ  Ｋｕｒｔｈ  Ｒｅｙｎｏｌｄｓらによる米国特許出願第 号に関連する。本明細書において繰り返されない限り、この関連特許出願の内容は、参照により本明細書に援用される。
【０００５】
[0005]本願は、本非仮出願の譲受人に譲受された、代理人整理番号ＳＹＮＡ−２００９１２０７−Ａ１Ｃの、「Ｓｅｎｓｉｎｇ  Ｄｕｒｉｎｇ  Ｎｏｎ−Ｄｉｓｐｌａｙ  Ｕｐｄａｔｅ  Ｔｉｍｅ  ｔｏ  Ａｖｏｉｄ  Ｉｎｔｅｒｆｅｒｅｎｃｅ」と題され、２０１１年２月２４日に出願されたＪｏｓｅｐｈ  Ｋｕｒｔｈ  Ｒｅｙｎｏｌｄｓらによる米国特許出願第 号に関連する。本明細書において繰り返されない限り、この関連特許出願の内容は、参照により本明細書に援用される。
【背景技術】
【０００６】
[0006]近接センサーデバイス（通例、タッチパッド、タッチスクリーン、又はタッチセンサーデバイスとも呼ばれる）を含む入力デバイスが、さまざまな電子システムで広く使用されている。概して、近接センサーデバイスは、面によって境界が定められる場合が多い感知領域を含み、その感知領域内で、近接センサーデバイスは、１つ又は複数の入力オブジェクトの存在、位置、及び／又は動きを判定する。近接センサーデバイスは、電子システムに対するインターフェースを設けるために使用され得る。例えば、近接センサーデバイスは、（ノートブック又はデスクトップコンピュータに一体化された、又はそれらのコンピュータの周辺機器の不透明なタッチパッドのような）比較的大型のコンピューティングシステムのための入力デバイスとして使用されることが多い。近接センサーデバイスは、（セルラ電話に一体化された不透明又は透明なタッチスクリーンのように）比較的小型のコンピューティングシステムで使用されることも多い。
【発明の概要】
【０００７】
[0007]静電容量式センサーデバイスのための干渉を防止する方法において、トランスミッタ信号が、静電容量式センサーデバイスのトランスミッタ電極によって送信される。結果として生じた信号が、静電容量式センサーデバイスのレシーバ電極によって受信される。結果として生じた信号は、トランスミッタ信号に対応する。第１の復調された出力が、結果として生じた信号を第１の手法で復調することによって取得される。第２の復調された出力が、結果として生じた信号を第１の手法と異なる第２の手法で復調することによって取得される。位置情報を決定するために第１の復調された出力を使用することから、位置情報を決定するために第２の復調された出力を使用することへの切り替えが行われる。切り替えは、干渉の量に少なくとも部分的に基づく。
【０００８】
[0008]一体化された静電容量式センサーデバイス及びディスプレイデバイスにおいて干渉を防止する方法において、第１の周波数を有する第１のトランスミッタ信号が、一体化された静電容量式センサーデバイス及びディスプレイデバイスの複合電極（ｃｏｍｂｉｎａｔｉｏｎ  ｅｌｅｃｔｒｏｄｅ）によって送信される。複合電極は、静電容量式感知と表示更新の両方のために構成される。複合電極によって第１のトランスミッタ信号を送信することから、複合電極によって第２のトランスミッタ信号を送信することへの切り替えが行われる。切り替えは、ディスプレイデバイスの少なくとも１つの非表示更新期間の継続時間を変更することによって行われる。第２のトランスミッタ信号は、第２の周波数を有し、切り替えは、干渉の量に少なくとも部分的に基づいて行われる。
【０００９】
[0009]一体化された静電容量式センサーデバイス及びディスプレイデバイスを用いた静電容量式感知の方法において、トランスミッタ信号が、一体化された静電容量式センサーデバイス及びディスプレイデバイスの複合電極によって送信される。複合電極は、静電容量式感知と表示更新の両方のために構成される。トランスミッタ信号は、ディスプレイデバイスの行更新に関連する非表示更新期間中に少なくとも２回遷移する。ディスプレイデバイスの表示は、更新期間中に更新される。結果として生じた信号が、非表示更新期間中に、一体化された静電容量式センサーデバイス及びディスプレイデバイスのレシーバ電極によって受信される。結果として生じた信号は、トランスミッタ信号に対応する。
【図面の簡単な説明】
【００１０】
[0010]この「図面の簡単な説明」で言及される図面は、はっきりと記されない限り縮尺を合わせて描かれていると理解されるべきでない。「実施形態の説明」に組み込まれ、「実施形態の説明」の一部を形成する添付の図面は、本発明のさまざまな実施形態を示し、「実施形態の説明」とともに、以下で検討される原理を説明する役割をし、同様の符号が同様の要素を表す。
【図１Ａ】[0011]  本発明の実施形態による、例示的な電子システムと結合される例示的な入力デバイスの構成図である。
【図１Ｂ】[0012]  一実施形態による、入力デバイスの感知領域のすべて又は一部を生成するために利用され得る例示的なセンサー電極パターンの一部を示す図である。
【図１Ｃ】[0013]  さまざまな実施形態による複合電極の異なる例を示す図である。
【図１Ｄ】[0013]  さまざまな実施形態による複合電極の異なる例を示す図である。
【図１Ｅ】[0014]  さまざまな実施形態による入力デバイスの例を示す図である。
【図２】[0015]  一実施形態による、受信された結果として生じた信号のサンプルを復調して静電容量式センサーの干渉感受性（ｉｎｔｅｒｆｅｒｅｎｃｅ  ｓｕｓｃｅｐｔｉｂｉｌｉｔｙ）を改善するように構成された静電容量式測定システムの例を示す図である。
【図３Ａ】[0016]  一実施形態による、送信されたトランスミッタ信号の周波数と同じである復調周波数を用いた静電容量式センサーの波形を示す図である。
【図３Ｂ】[0017]  さまざまな実施形態による、干渉感受性を改善するために、送信されたトランスミッタ信号の周波数とは異なる感知復調周波数をそれぞれが有する例示的な波形を示す図である。
【図３Ｃ】[0017]  さまざまな実施形態による、干渉感受性を改善するために、送信されたトランスミッタ信号の周波数とは異なる感知復調周波数をそれぞれが有する例示的な波形を示す図である。
【図３Ｄ】[0017]  さまざまな実施形態による、干渉感受性を改善するために、送信されたトランスミッタ信号の周波数とは異なる感知復調周波数をそれぞれが有する例示的な波形を示す図である。
【図４】[0018]  さまざまな実施形態による、入力デバイスで利用され得る第１の例示的な処理システムを示す図である。
【図５Ａ】[0019]  さまざまな実施形態による、静電容量式センサーデバイスのための干渉を防止する例示的な方法の流れ図である。
【図５Ｂ】[0019]  さまざまな実施形態による、静電容量式センサーデバイスのための干渉を防止する例示的な方法の流れ図である。
【図６】[0020]  一実施形態による、複数の表示行を有する表示を備えるディスプレイデバイスを示す図である。
【図７】[0021]  さまざまな実施形態による、入力デバイスで利用され得る第２の例示的な処理システムを示す図である。
【図８】[0022]  さまざまな実施形態による、一体化された静電容量式センサーデバイス及びディスプレイデバイスにおいて干渉を防止する例示的な方法の流れ図である。
【図９】[0023]  さまざまな実施形態による、非表示更新時間中の遷移を伴う３つのトランスミッタ信号を示す図である。
【図１０】[0024]  さまざまな実施形態による、入力デバイスで利用され得る第３の例示的な処理システムを示す図である。
【図１１Ａ】[0025]  さまざまな実施形態による、一体化された静電容量式センサーデバイス及びディスプレイデバイスを用いた静電容量式感知の例示的な方法の流れ図である。
【図１１Ｂ】[0025]  さまざまな実施形態による、一体化された静電容量式センサーデバイス及びディスプレイデバイスを用いた静電容量式感知の例示的な方法の流れ図である。
【図１１Ｃ】[0025]  さまざまな実施形態による、一体化された静電容量式センサーデバイス及びディスプレイデバイスを用いた静電容量式感知の例示的な方法の流れ図である。
【発明を実施するための形態】
【００１１】
[0026]以下の実施形態の説明は、限定ではなく例として与えられる。さらに、上述の背景若しくは概要、又は以下の実施形態の説明に示されるいかなる明示的又は暗黙的理論によっても拘束される意図はない。
検討の概要
【００１２】
[0027]本明細書において、本発明のさまざまな実施形態が、利便性の向上を容易にする入力デバイス及び方法を提供する。本明細書に記載のさまざまな実施形態において、入力デバイスは、静電容量式センサーデバイス、ディスプレイデバイスと連携して若しくはディスプレイデバイスの近くで使用される静電容量式センサーデバイス、又は１つ若しくは複数のコンポーネントの使用を共有する一体化された静電容量式センサーデバイス及びディスプレイデバイスである可能性がある。
【００１３】
[0028]検討は、本明細書に記載のさまざまな実施形態が実装され得る例示的な入力デバイスの説明から始まる。この後、検討は、３つの節に分割される。第１節は、干渉を防止するための復調の変更について検討し、結果として生じた信号を異なるやり方で復調するためのいくつかの技術を説明する。第１の例示的な処理システム及びその処理システムのコンポーネントが、第１節で説明される。第１の処理システム及びその処理システムのコンポーネントの動作が、静電容量式センサーデバイスのための干渉を防止する例示的な方法の説明と併せてさらに説明される。第２節は、干渉を防止するための搬送波（ｃａｒｒｉｅｒ）周波数の切り替えについて検討し、第１の周波数を有する第１のトランスミッタ信号から第２の周波数を有する第２のトランスミッタ信号への切り替えについて説明する。第２の例示的な処理システム及びその処理システムのコンポーネントが、第２節で説明される。第２の処理システム及びその処理システムのコンポーネントの動作が、一体化された静電容量式センサー及びディスプレイデバイスにおいて干渉を防止する例示的な方法の説明と併せてさらに説明される。第３節は、干渉を防止するための非表示更新時間中の感知について検討し、いくつかの非表示更新期間及び感知技術を説明する。第３の例示的な処理システム及びその処理システムのコンポーネントが、第３節でやはり説明される。第３の処理システム及びその処理システムのコンポーネントの動作が、一体化された静電容量式センサーデバイス及びディスプレイデバイスを用いた感知の例示的な方法の説明と併せてさらに説明される。
例示的な入力デバイス
【００１４】
[0029]図１Ａは、本発明の実施形態による例示的な入力デバイス１００の構成図である。入力デバイス１００は、電子システム１５０に入力を与えるように構成され得る。本明細書において使用されるとき、用語「電子システム」（又は「電子デバイス」）は、情報を電子的に処理することができる任意のシステムを全体的に指す。電子システム１５０の一部の非限定的な例は、デスクトップコンピュータ、ラップトップコンピュータ、ネットブックコンピュータ、タブレット、ウェブブラウザ、電子ブックリーダ、及び携帯情報端末（ＰＤＡ）などのすべてのサイズ及び形状のパーソナルコンピュータを含む。さらなる例示的な電子システム１５０は、入力デバイス１００及び別個のジョイスティック又はキースイッチを含む物理的なキーボードなどの複合的な入力デバイスを含む。さらなる例示的な電子システム１５０は、データ入力デバイス（リモコン及びマウスを含む）及びデータ出力デバイス（ディスプレイスクリーン及びプリンタを含む）などの周辺機器を含む。その他の例は、リモート端末、キオスク、及びビデオゲーム機（例えば、ビデオゲームコンソール、ポータブルゲームデバイスなど）を含む。その他の例は、通信デバイス（スマートフォンなどのセルラ電話を含む）及びメディアデバイス（テレビ、セットトップボックス、音楽プレーヤ、デジタルフォトフレーム、及びデジタルカメラなどのレコーダ、エディタ、及びプレーヤを含む）を含む。加えて、電子システム１５０は、入力デバイスのホスト又はスレーブである可能性がある。
【００１５】
[0030]入力デバイス１００は、電子システム１５０の物理的な一部分として実装される可能性があり、又は電子システム１５０から物理的に分かれている可能性がある。必要に応じて、入力デバイス１００は、以下、すなわち、バス、ネットワーク、及びその他の有線又は無線相互接続のうちの任意の１つ又は複数を用いて電子システム１５０の一部と通信することができる。例は、インターインテグレイテッドサーキット（Ｉｎｔｅｒ−Ｉｎｔｅｇｒａｔｅｄ  Ｃｉｒｃｕｉｔ）（Ｉ２Ｃ）、シリアル周辺機器インターフェース（Ｓｅｒｉａｌ  Ｐｅｒｉｐｈｅｒａｌ  Ｉｎｔｅｒｆａｃｅ）（ＳＰＩ）、パーソナルシステム２（Ｐｅｒｓｏｎａｌ  Ｓｙｓｔｅｍ  ２）（ＰＳ／２）、ユニバーサルシリアルバス（ＵＳＢ）、ブルートゥース（Ｂｌｕｅｔｏｏｔｈ）（登録商標）、無線周波数（ＲＦ）、及び赤外線データ協会（Ｉｎｆｒａｒｅｄ  Ｄａｔａ  Ａｓｓｏｃｉａｔｉｏｎ）（ＩｒＤＡ）を含むがこれらに限定されない。
【００１６】
[0031]図１Ａにおいて、入力デバイス１００は、感知領域１２０内で１つ又は複数の入力オブジェクト１４０によって与えられた入力を感知するように構成された近接センサーデバイス（「タッチパッド」又は「タッチセンサーデバイス」と呼ばれることも多い）として示されている。例示的な入力オブジェクトは、図１Ａに示されるように指及びスタイラスを含む。
【００１７】
[0032]感知領域１２０は、入力デバイス１００がユーザ入力（例えば、１つ又は複数の入力オブジェクト１４０によって与えられたユーザ入力）を検出することができる、入力デバイス１００の上、まわり、中、及び／又は近くの任意の空間を包含する。特定の感知領域のサイズ、形状、及び位置は、実施形態ごとに幅広く変わり得る。一部の実施形態において、感知領域１２０は、入力デバイス１００の表面から空間内に向かって１つ又は複数の方向に、信号対雑音比が十分に正確な物体検出を妨げるまで広がる。さまざまな実施形態において、この感知領域１２０が特定の方向に延びる距離は、１ミリメートル未満のオーダー、ミリメートルのオーダー、センチメートルのオーダー、又はそれよりも大きなオーダーである可能性があり、使用される感知技術の種類と、所望の精度とによって大きく変わり得る。したがって、一部の実施形態は、入力デバイス１００のどの表面とも接触していない、入力デバイス１００の入力面（例えば、タッチ面）と接触している、ある量の加えられた力若しくは圧力を伴って入力デバイス１００の入力面に接触している、及び／又はこれらの組み合わせの入力を感知する。さまざまな実施形態において、入力面は、中にセンサー電極が存在するケーシングの表面によって提供されるか、センサー電極に張られた表面シート（ｆａｃｅ  ｓｈｅｅｔ）によって提供されるか、又は任意のケーシング、ディスプレイ用のレンズ窓などである可能性がある。さまざまな実施形態において、エアギャップが、表面シートとセンサー電極の間に存在する可能性がある。一部の実施形態において、感知領域１２０は、入力デバイス１００の入力面上に計画されるとき、長方形である。一部の実施形態において、センサー領域は、少なくとも１つの入力オブジェクトに関する２次元位置情報を決定し、少なくとも１つの入力オブジェクトに関する１次元位置情報及び少なくとも１つの入力オブジェクトに関する０次元位置情報を決定するために使用され得る複数の下位領域を備える可能性がある。感知領域及び応答の構成は、動的であり、及び／又はユーザ入力、外部通信に応じて決まるか、若しくは処理システム１１０に基づく可能性がある。
【００１８】
[0033]入力デバイス１００は、感知領域１２０内のユーザ入力を検出するためにセンサーコンポーネントと感知技術の任意の組み合わせを利用することができる。入力デバイス１００は、ユーザ入力を検出するための１つ又は複数の感知素子を備える。いくつかの非限定的な例として、入力デバイス１００は、静電容量式、エラスタンス式（ｅｌａｓｔｉｖｅ）、抵抗式、誘導式、表面弾性波式、及び／又は光学式の技術を使用し得る。
【００１９】
[0034]一部の実装は、１次元、２次元、３次元、又はそれを超える次元の空間に広がる画像を提供するように構成される。一部の実装は、特定の軸又は平面に沿った入力の射影を提供するように構成される。
【００２０】
[0035]入力デバイス１００の一部の静電容量式の実装においては、電界を生成するために電圧又は電流が印可される。近くにある入力オブジェクトは、電界の変化をもたらし、電圧、電流などの変化として検出され得る容量性カップリングの検出可能な変化を生じる。
【００２１】
[0036]一部の静電容量式の実装は、静電容量式感知素子のアレー又はその他の規則的若しくは不規則なパターンを利用して電界を生成する。一部の静電容量式の実装においては、別個の感知素子が、より大きなセンサー電極を形成するためにオーム性の短絡により一緒に接続され得る。一部の静電容量式の実装は、一様な抵抗性がある可能性がある抵抗シートを利用する。
【００２２】
[0037]一部の静電容量式の実装は、センサー電極と入力オブジェクトの間の容量性カップリングの変化に基づく「自己容量（ｓｅｌｆ  ｃａｐａｃｉｔａｎｃｅ）」（又は「絶対容量（ａｂｓｏｌｕｔｅ  ｃａｐａｃｉｔａｎｃｅ）」）感知方法を利用する。さまざまな実施形態において、センサー電極近くの入力オブジェクトが、センサー電極近くの電界を変化させ、したがって、測定される容量性カップリングを変化させる。１つの実装において、絶対容量感知方法は、基準電圧（例えば、システムの接地）に対してセンサー電極を変調する（ｍｏｄｕｌａｔｅ）ことによって、及びセンサー電極と入力オブジェクトの間の容量性カップリングを検出することによって動作する。
【００２３】
[0038]一部の静電容量式の実装は、センサー電極間の容量性カップリングの変化に基づく「相互容量（ｍｕｔｕａｌ  ｃａｐａｃｉｔａｎｃｅ）」（又は「トランスキャパシタンス（ｔｒａｎｓｃａｐａｃｉｔａｎｃｅ）」）感知方法を利用する。さまざまな実施形態において、センサー電極近くの入力オブジェクトが、センサー電極間の電界を変化させ、したがって、測定される容量性カップリングを変化させる。１つの実装において、トランスキャパシタンス式の感知方法は、１つ又は複数のトランスミッタセンサー電極（つまり「トランスミッタ電極」又は「トランスミッタ」）と１つ又は複数のレシーバセンサー電極（つまり「レシーバ電極」又は「レシーバ」）の間の容量性カップリングを検出することによって動作する。トランスミッタセンサー電極は、トランスミッタ信号を送信するために基準電圧（例えば、システムの接地）に対して変調され得る。受信センサー電極は、結果として生じた信号を受信するのを容易にするために基準電圧に対して実質的に一定に保たれることができる。結果として生じた信号は、１つ若しくは複数のトランスミッタ信号に、及び／又は環境からの干渉の１つ若しくは複数のソース（例えば、その他の電磁信号）に対応する（１つ又は複数の）影響を含み得る。センサー電極は、トランスミッタ若しくはレシーバ専用である可能性があり、又は送信と受信の両方のために構成される可能性がある。
【００２４】
[0039]図１Ａにおいて、処理システム（又は「プロセッサ」）１１０は、入力デバイス１００の一部として示されている。処理システム１１０は、感知領域１２０内の入力を検出するように入力デバイス１００のハードウェアを動作させるように構成される。処理システム１１０は、１つ若しくは複数の集積回路（ＩＣ）及び／又はその他の回路コンポーネントの一部又はすべてを備え、一部の実施形態において、処理システム１１０は、ファームウェアコード、ソフトウェアコードなどの電子的に読み取り可能な命令も備える。一部の実施形態において、処理システム１１０を構成するコンポーネントは、入力デバイス１００の（１つ又は複数の）感知素子の近くなどに一緒に配置される。その他の実施形態において、処理システム１１０のコンポーネントは、入力デバイス１００の（１つ又は複数の）感知素子の近くの１つ又は複数のコンポーネントと物理的に分かれており、別の場所の１つ又は複数のコンポーネントである。例えば、入力デバイス１００は、デスクトップコンピュータに結合された周辺機器である可能性があり、処理システム１１０は、デスクトップコンピュータの中央演算処理装置及び中央演算処理装置とは別個の１つ又は複数のＩＣ（おそらく、関連するファームウェアを有する）上で実行されるように構成されたソフトウェアを備える可能性がある。別の例として、入力デバイス１００は、電話に物理的に一体化されている可能性があり、処理システム１１０は、電話の主プロセッサの一部である回路及びファームウェアを備える可能性がある。一部の実施形態において、処理システム１１０は、入力デバイス１００の実装に専用である。その他の実施形態において、処理システム１１０は、ディスプレイスクリーンを動作させること、触覚アクチュエータ（ｈａｐｔｉｃ  ａｃｔｕａｔｏｒ）を駆動することなどのその他の機能も実行する。一部の実施形態において、処理システム１１０の電子的に読み取り可能な命令は、電子システム１５０によって更新されることができ、電子システム１５０は、有線通信及び無線通信を介して処理システム１１０の電子的に読み取り可能な命令を更新することができる。
【００２５】
[0040]処理システム１１０は、処理システム１１０の異なる機能を処理するモジュールの一式として実装され得る。各モジュールは、処理システム１１０の一部である回路、ファームウェア、ソフトウェア、又はこれらの組み合わせを備える可能性がある。さまざまな実施形態において、モジュールの異なる組み合わせが使用され得る。例示的なモジュールは、センサー電極及びディスプレイスクリーンなどのハードウェアを動作させるためのハードウェア動作モジュールと、センサー信号及び位置情報などのデータを処理するためのデータ処理モジュールと、情報をレポートするためのレポートモジュールとを含む。さらなる例示的なモジュールは、入力を検出するように（１つ又は複数の）感知素子を動作させるように構成されたセンサー動作モジュールと、モード変更ジェスチャなどのジェスチャを識別するように構成された識別モジュールと、動作モードを変更するためのモード変更モジュールとを含む。一実施形態において、処理システム１１０は、処理システム１１０の電子的に読み取り可能な命令の制御された更新のためのモジュールを備える。
【００２６】
[0041]一部の実施形態において、処理システム１１０は、直接１つ又は複数のアクションを引き起こすことによって、感知領域１２０内のユーザ入力（又はユーザ入力がないこと）に応答する。例示的なアクションは、動作モードを変更することと、カーソルの移動、選択、メニューナビゲーション、及びその他の機能などのＧＵＩアクションとを含む。一部の実施形態において、処理システム１１０は、電子システム１５０の一部に（例えば、処理システム１１０とは別個の電子システムの中央処理システムが存在する場合にはそのような別個の中央処理システムに）入力（又は入力がないこと）についての情報を与える。一部の実施形態においては、電子システム１５０の一部が、処理システム１１０から受信された情報を処理して、モード変更アクション及びＧＵＩアクションを含むあらゆる範囲のアクションを容易にするなど、ユーザ入力に基づいて動作する。一実施形態において、処理システムは、測定レート及び／又はレポートレートを削減した低電力モードで動作するように構成され得る。さまざまな実施形態において、低電力モードは、削減されたトランスミッタのスキャンレート、削減されたフレームレート、削減されたバックライト電力、同様のトランスミッタ信号による複数のトランスミッタの同時駆動などを含み得るがこれらに限定されない。
【００２７】
[0042]例えば、一部の実施形態において、処理システム１１０は、感知領域１２０内の入力（又は入力がないこと）を示す電気信号を生成するように入力デバイス１００の（１つ又は複数の）感知素子を動作させる。処理システム１１０は、電子システム１５０に与えられる情報を生成する際に電気信号に対して任意の適切な量の処理を行うことができる。例えば、処理システム１１０は、センサー電極から得られたアナログ電気信号をデジタル化することができる。別の例として、処理システム１１０は、フィルタリング又はその他の信号の調整を実行することができる。さらに別の例として、処理システム１１０は、情報が電気信号と基準の間の差を反映するように、基準を差し引くか、又はその他の方法で基準を考慮することができる。さらに別の例として、処理システム１１０は、位置情報を決定すること、入力をコマンドとして認識すること、手書き認識を行うことなどが可能である。
【００２８】
[0043]本明細書において使用されるとき、「位置情報」は、絶対位置、相対位置、速度、加速度、及びその他の種類の空間情報を全体的に包含する。例示的な「０次元」位置情報は、近／遠又は接触／非接触情報を含む。例示的な「１次元」位置情報は、軸に沿った位置を含む。例示的な「２次元」位置情報は、平面内の動きを含む。例示的な「３次元」位置情報は、空間内の瞬間速度又は平均速度を含む。さらなる例は、空間情報のその他の表現を含む。例えば、位置、動き、又は瞬間速度を経時的に追跡する履歴データを含む１つ又は複数の種類の位置情報に関する履歴データも、決定及び／又は記憶され得る。
【００２９】
[0044]一部の実施形態において、入力デバイス１００は、処理システム１１０によって、又は何らかのその他の処理システムによって動作させられる追加的な入力コンポーネントを用いて実装される。これらの追加的な入力コンポーネントは、感知領域１２０内の入力に関する冗長な機能、又は何らかのその他の機能を提供する可能性がある。図１Ａは、入力デバイス１００を用いた項目の選択を容易にするために使用され得る、感知領域１２０の近くのボタン１３０を示す。その他の種類の追加的な入力コンポーネントは、スライダ、ボール、ホイール、スイッチ、光学式近接センサーなどを含む。ある実施形態において、追加的な入力コンポーネントの使用は、ディスプレイ上にフレーム機能を示すことによって、又は入力デバイスからの位置情報を用いて意図しないユーザ入力を拒否することによってやはり容易にされ得る。反対に、一部の実施形態においては、入力デバイス１００は、いかなるその他の入力コンポーネントも用いずに実装される可能性がある。
【００３０】
[0045]一部の実施形態において、入力デバイス１００は、タッチスクリーンインターフェースを備え、感知領域１２０は、ディスプレイスクリーンの有効領域の少なくとも一部と重なる。例えば、入力デバイス１００は、ディスプレイスクリーン上を覆う実質的に透明なセンサー電極を備え、関連する電子システム１５０のためのタッチスクリーンインターフェースを提供することができる。ディスプレイスクリーンは、ユーザに対して視覚的なインターフェースを表示することができる任意の種類の動的ディスプレイである可能性があり、任意の種類の発光ダイオード（ＬＥＤ）、有機ＬＥＤ（ＯＬＥＤ）、ブラウン管（ＣＲＴ）、液晶ディスプレイ（ＬＣＤ）、プラズマ、エレクトロルミネセンス（ＥＬ）、又はその他のディスプレイ技術を含み得る。一実施形態において、ディスプレイは、ドット反転、ライン反転、フレーム反転、又はその他の方法を含み得る。さまざまな実施形態において、ディスプレイは、ＤＣ  Ｖｃｏｍ信号又はＡＣ  Ｖｃｏｍ信号を備える可能性がある。さらなる実施形態において、ディスプレイは、パターン化垂直配向（ｐａｔｔｅｒｎｅｄ  ｖｅｒｔｉｃａｌ  ａｌｉｇｎｍｅｎｔ）、インプレーンスイッチング、プラントゥラインスイッチング（ｐｌａｎ  ｔｏ  ｌｉｎｅ  ｓｗｉｔｃｈｉｎｇ）、又はその他の広視野角の改良を備える可能性がある。入力デバイス１００及びディスプレイスクリーンは、物理的要素を共有する可能性がある。例えば、一部の実施形態は、表示及び感知のために同じ電気的コンポーネントの一部を利用することができる。別の例として、ディスプレイスクリーンは、部分的に又は完全に、処理システム１１０によって動作させられ得る。さまざまな実施形態において、ディスプレイデバイスに対する全ピクセル更新は、表示フレーム（ｄｉｓｐｌａｙ  ｆｒａｍｅ）と呼ばれることがある。表示フレームは、プログレッシブ方式で更新される（例えば、それぞれの表示ピクセル行を１行ずつ更新する）か、又はインターレース方式で更新される（例えば、第１の期間中に表示の第１の半分が更新され、第２の期間中に表示の第２の半分が更新される可能性がある。さまざまな実施形態において、静電容量式感知のために使用される表示更新時間の一部は、複合電極の整定時間（ｓｅｔｔｌｉｎｇ  ｔｉｍｅ）によって、信号対雑音比又は干渉によって制限される可能性がある。一実施形態において、この時間は、整定時間及び任意の許容範囲（ｔｏｌｅｒａｎｃｅ）に基づく可能性がある。整定時間は、ＲＣ時定数としてモデル化され得る。複合電極のいずれかの変量（ｖａｒｉａｂｌｅ）を減らすことによって、整定時間を削減することができる。さらに、許容範囲を小さくすることによっても、整定時間を削減することができる。さまざまな実施形態において、より薄い層、より広い若しくはより狭い電極、又は異なる接続方法（例えば、複数の接続若しくは追加的な高伝導性のジャンパー）を使用して、電極を異なる層に配置することによって、ＲＣ時定数は小さくされ得る。
【００３１】
[0046]本発明の多くの実施形態は完全に機能する装置との関連で説明されるが、本発明のメカニズムは、さまざまな形態のプログラム製品（例えば、ソフトウェア）として配布されることができることを理解されたい。例えば、本発明のメカニズムは、電子的なプロセッサによって読み取り可能である情報保持媒体（例えば、処理システム１１０によって読み取り可能な非一時的なコンピュータ可読及び／又は記録可能／書き込み可能情報保持媒体）上のソフトウェアプログラムとして実装及び配布され得る。加えて、本発明の実施形態は、配布を行うために使用される媒体の特定の種類に関係なく等しく適用される。非一時的な電子的に読み取り可能な媒体の例は、さまざまなディスク、メモリスティック、メモリカード、メモリモジュールなどを含む。電子的に読み取り可能な媒体は、フラッシュ、光学、磁気、ホログラフィック、又は任意のその他のストレージ技術に基づく可能性がある。
【００３２】
[0047]一部の実施形態は、ポリエチレンテレフタラート（ＰＥＴ）上の２層インジウム錫酸化物（ＩＴＯ）の構造を利用する。ＰＥＴ、ＩＴＯセンサー、及び（ＬＣＤの一部としての偏光素子を含み得る）その他の材料の幅及び厚さなどの寸法は、信号対雑音を改善し、干渉を少なくするように大きさを決められ得る。感知領域１２０のセンサーパターンは、電極の構成の中でもとりわけ、実質的に直線状の電極、パターン化された電極、及び／又は厚い棒状のトランスミッタ電極の上の二股の（又はそれより多い）レシーバ電極を含み得る。その他の実施形態においては、トランスミッタ電極がパターン化され得る。外部配線が、センサーパターンを取り囲むＰＣＢ（プリント回路基板）に引き回されることができる。その他の実施形態は、追加的な接地又は遮蔽を目的とする保護層を伴うか又は伴わないガラス上の単層ＩＴＯを含む。金属などのＩＴＯ以外の導体も、使用され得る。さまざまな実施形態において、導体は、銀ナノワイヤ、有機導体（例えば、ＰＥＤＯＴ（ポリ（３，４−エチレンジオキシチオフェン））又はカーボンナノチューブ）を含み得る。（エアギャップを伴わない若しくは伴う）表面シート又は「窓」レンズが、センサー電極の上に配置され得る。一実施形態において、レシーバ電極は、ディスプレイのレンズ上に、又はディスプレイのカラーフィルタ基板（カラーフィルタガラス）上に配置され得る。
【００３３】
[0048]図１Ｂは、一実施形態による、入力デバイスの感知領域のすべて又は一部を生成するために配置され得る例示的なセンサー電極パターンの一部を示す。図示及び説明を明瞭にする目的で、単純な長方形パターンが示される。感知パターンは、お互いに重なり合い、基板１８０上に配置される複数のレシーバ電極１７０（１７０−１、１７０−２、１７０−３、．．．１７０−ｎ）及び複数のトランスミッタ電極１６０（１６０−１、１６０−２、１６０−３、．．．１６０−ｎ）からなる。その他の実施形態において、複数のレシーバ電極１７０（１７０−１、１７０−２、１７０−３、．．．１７０−ｎ）及び複数のトランスミッタ電極１６０（１６０−１、１６０−２、１６０−３、．．．１６０−ｎ）は、お互いに重なり合い、複数の（又は張り合わされた）基板上に配置される。タッチ感知ピクセルは、トランスミッタ電極とレシーバ電極が交わる位置に中心が置かれる。一部の実施形態において、レシーバ電極は、見えにくくするようにパターン化され得る。一部の実施形態において、電気的にどこにも接続されていない電極が、見えにくくするためにレシーバ電極又はレシーバ電極の一部の間にパターン化され得る。一部の実施形態において、トランスミッタ電極は、複合電極であり、表示機能を提供するようにパターン化される。さまざまな実施形態において、タッチ感知は、入力デバイス１００のどの表面とも接触していない、入力デバイス１００の入力面（例えば、タッチ面）と接触している、ある量の加えられた力若しくは圧力を伴って入力デバイス１００の入力面に接触している、及び／又はこれらの組み合わせである可能性がある、感知領域１２０内の任意の場所の入力オブジェクトを感知することを含む。
【００３４】
[0049]通常、何らかの形態の絶縁材料がトランスミッタ電極１６０とレシーバ電極１７０の間に配置されることが理解される。一部の実施形態において、トランスミッタ電極及びレシーバ電極は、基板１８０の両側に、又はさらには互いに近接して積み重ねられる別個の基板に配置され得る。本明細書に記載の一部の実施形態において、基板組立体１８０は、ディスプレイデバイスのディスプレイ内に配置された基板である。例えば、基板組立体１８０は、液晶ディスプレイ（ＬＣＤ）のスタックアップ（ｓｔａｃｋ  ｕｐ）で使用される基板である可能性がある。一実施形態において、トランスミッタ電極１６０及びレシーバ電極１７０は、基板組立体１８０の同様の層に配置される可能性があり、トランスミッタ電極は、基板組立体１８０の第２の層に配置された複数のジャンパーを備える。別の実施形態において、トランスミッタ電極１６０は、基板組立体１８０の第１の層に配置され、レシーバ電極１７０は、基板組立体１８０の第２の層に配置され、ジャンパーは必要とされない。一部の実施形態において、トランスミッタ電極１６０及びレシーバ電極１７０は、ディスプレイのカラーフィルタ基板層に配置され得る。別の実施形態において、レシーバ電極１７０は、カラーフィルタ基板層に配置される可能性があり、トランスミッタ電極１６０は、ディスプレイのＴＦＴ（薄膜トランジスタ）基板層に配置される可能性がある。別の実施形態において、レシーバ電極は、ディスプレイデバイスの保護層、偏光子層、レンズガラス、又は任意のその他の層に配置され得る。さらに別の実施形態において、レシーバ電極は、トランスミッタ電極の上の任意の層に配置され得る。
【００３５】
[0050]処理システム１１０は、人の指又はスタイラスなどの入力オブジェクトが近づけられるときに、トランスミッタ電極とレシーバ電極の間の容量性カップリングの変化を検出することができる。センサーが複数のトランスミッタ電極（例えば、トランスミッタ電極１６０）又は複数のレシーバ電極（例えば、レシーバ電極１７０）を備えるとき、複数の容量性カップリングが、空間的に分散されるようにして形成される。そのような複数の容量性カップリングの一組の測定は、静電容量「フレーム」（ｃａｐａｃｉｔｉｖｅ  “ｆｒａｍｅ”）又は静電容量「画像」（ｃａｐａｃｉｔｉｖｅ  “ｉｍａｇｅ”）と呼ばれることが多い。そのような静電容量「画像」は、特定の期間中の容量性カップリングの大きさを表す。連続的な静電容量「画像」は、連続的な期間中の容量性カップリングの大きさ又は変化を表す。一実施形態において、順々にトランスミッタ電極を作動させる（ｅｘｃｉｔｅ）ことは、静電容量式センサーデバイスのスキャンと呼ばれることがある。そのような連続的な画像は、物体が感知領域中をくまなく動くのに合わせて物体の動きを追跡するために使用され得る。連続的な画像が取り込まれるレートは、静電容量式センサーのフレームレート又はレポートレートとして知られる。さまざまな実施形態において、静電容量フレームレートは、表示フレームレートとは異なる可能性がある。一組の測定は、複合電極の異なるグループ及び／又はレシーバ電極の異なるグループに関連する静電容量「画像」内の複数の「ピクセル」のカップリングの変化を独立に測定することを含み得る。一実施形態において、基準静電容量「画像」が、容量性カップリングの変化を判定するために使用される。複数の静電容量基準「画像」が、使用される可能性がある。基準画像の選択は、複合電極の送信グループに対する表示ピクセル行の相対的な位相（ｐｈａｓｅ）に関連する可能性がある。複数の基準が、圧縮されたフォーマット及び未圧縮のフォーマットを含むさまざまなフォーマットで記憶され得る。圧縮されたフォーマットは、基準間の差、又は基準のスケーリングされたバージョン、フィルタリングされたバージョン、及び符号化されたバージョンを含み得る。一実施形態において、２つ以上の静電容量「画像」が、単一の表示フレームから収集され得る。さまざまな実施形態において、トランスミッタ電極及び複合電極は、静電容量画像が独立に駆動されたトランスミッタグループから決定され得るように、実質的に独立した符号化スキームを用いて駆動され得る。
【００３６】
[0051]一部のディスプレイデバイスの実施形態において、トランスミッタ電極１６０は、静電容量式センサーデバイスとディスプレイデバイスの間で共有される。一体化された静電容量式センサーデバイス及びディスプレイデバイスの一実施形態において、トランスミッタ電極１６０は、静電容量式センサーデバイスのためのトランスミッタとして、及びさらにディスプレイデバイスのディスプレイの表示更新のための共通電極（ドライバ（ｄｒｉｖｅｒ））として動作する。一体化された静電容量式センサーデバイス及びディスプレイデバイスのそのような実施形態において、各トランスミッタ電極１６０（例えば、１６０−１）は、「複合電極」と呼ばれる可能性がある。さまざまな実施形態において、各共通電極は、セグメント分けされたＶｃｏｍ電極の１つのセグメント又は複数のセグメントである。一部の実施形態において、セグメント分けされたＶｃｏｍ電極のセグメントは、ディスプレイの空間的に関連する表示ピクセル行又は表示行と呼ばれることがある。一実施形態において、表示領域の一部が、静電容量式に測定され得る。別の実施形態において、これは、ディスプレイの非表示更新時間中に行われる。さらに別の実施形態において、表示領域全体が、十分な長さの単一の切れ目のない非表示更新時間中に測定又はスキャンされ得る。さまざまな実施形態において、ディスプレイ全体が、単一の表示フレーム中に測定され得る。その他の実施形態において、静電容量式センサーは、表示領域の一部のみを更新することに関連するより速いレポートレートを有する可能性がある。
【００３７】
[0052]複合電極１６０が利用される多くの実施形態において、１つ又は複数のその他のコンポーネントが、静電容量式感知機能とディスプレイ機能の間にやはり一体化され、共有される可能性がある。例えば、処理システム１１０も、静電容量式感知機能及びディスプレイ機能一部の又はすべての特徴を調整及び／又は制御するために、一体化された静電容量式センサーデバイス及びディスプレイデバイス内で共有され得る。図示されていないが、一実施形態において、その他の表示ピクセル行の電極が、トランスミッタ電極１６０とレシーバ電極１７０の間に、又はそれらの上に層を設けられ得る。図６のディスプレイデバイス６００は、表示ピクセル行の一例を示す。さまざまな実施形態において、表示は、更新されるべきピクセルの行を選択し、ピクセル（又はサブピクセル）のアレーを包含するその行に関連する共通電極に対する個別に制御されるソースドライバによって選択されたピクセルに対する電圧を駆動すること（又は電流を制御すること）によって更新される。一実施形態において、複数の表示ピクセル行に関連する共通電極が、単一の複合電極へと組み合わされることができ、その複合電極に対する実質的に同じ電圧が、表示更新と静電容量式感知の両方のために処理システム１１０によって各表示ピクセル行に印可される。
【００３８】
[0053]ここで図１Ｃに目を向けると、図１Ｃは、重なり合わない複合電極１６０−４〜１６０−７の異なる位相のグループ（又は組）を示す。図１Ｃに見られるように、複合電極１６０−４〜１６０−７のグループは、セグメント分けされたＶｃｏｍ電極の異なるセグメント（又は表示ピクセル行）を備える。
【００３９】
[0054]図１Ｄは、複合電極１６０−８〜１６０−１１の異なる位相の重なり合うグループを示す。図１Ｄに見られるように、複合電極の各グループは、複合電極の別のグループとセグメント分けされたＶｃｏｍ電極の少なくとも１つのセグメント（又は表示ピクセル行）を共有する。１６０−４〜１６０−１１は複合電極のグループと呼ばれるが、その他の実施形態においては、１６０−４〜１６０−１１は、複合電極、又はセグメント分けされたＶｃｏｍのセグメントのグループと呼ばれる可能性がある。さまざまな実施形態において、フレーム又はそのフレームの一部をスキャンするために、複合電極の各グループが異なる時間に駆動される可能性があり、又は複合電極のうちの少なくとも２つが同時に駆動される可能性がある。さらに、共通電極は、一部のディスプレイ（例えば、インプランスイッチング（ＩＰＳ）若しくはプラントゥラインスイッチング（ＰＬＳ））においてはＴＦＴガラスに配置される可能性があり、又は一部のディスプレイ（例えば、パターン化垂直配向（ＰＶＡ）若しくはマルチドメイン垂直配向（Ｍｕｌｔｉ−ｄｏｍａｉｎ  Ｖｅｒｔｉｃａｌ  Ａｌｉｇｎｍｅｎｔ）（ＭＶＡ））のカラーフィルタガラスの底部に配置される可能性がある。
【００４０】
[0055]一部の実施形態において、処理システム１１０は、表示のフレームの更新に関連する非表示更新時間（例えば、垂直帰線消去期間）中に異なる時間に複合電極の２つ以上のグループを用いて送信する（例えば、複合電極の第２のグループが定常電圧で駆動される間に複合電極の１つのグループを用いて送信する）ように構成され得る。
【００４１】
[0056]ここで図１Ｅに目を向けると、図１Ｅは、複合電極１６１、レシーバ電極１７０、処理システム１１０−１、処理システム１１０−２、及び同期メカニズム１９１を備える入力デバイス１９５を示す。処理システム１１０−１は、レシーバ電極１６０と結合され、レシーバ電極１６１を用いて結果として生じた信号を受信するように構成される。その他の実施形態において、処理システム１１０−１は、複合電極１６１の一部又はすべてと結合される。１つのさらなる実施形態において、入力デバイス１９５は、トランスミッタ電極を備え、処理システム１１０−１は、それらのトランスミッタ電極と結合される。処理システム１１０−２は、複合電極１６１と結合される。一実施形態において、処理システム１１０−２は、画像の表示を制御するための表示制御回路を備える。表示制御回路は、ピクセルソースドライバ（図示せず）を通じて表示ピクセル電極に１つ又は複数のピクセル電圧を印可するように構成される。表示制御回路は、共通電極に１つ又は複数の共通駆動電圧を印可するようにやはり構成され得る。一実施形態において、共通駆動電圧は、画像表示制御の駆動サイクルと同期して反転するか、又は反転しない可能性がある（例えば、ライン反転）。一実施形態において、複合電極は、複合ソースドライバ及び静電容量式センサーのトランスミッタである可能性もある。一部の実施形態において、レシーバ電極は、ソースドライバ電極と機能を共有する可能性もある。一実施形態において、処理システム１１０は、処理システム１１０−１及び処理システム１１０−２を備える。別の実施形態において、処理システム１１０−１及び処理システム１１０−２は、単一の処理システムの集積回路及びモジュールとして実装され得る。
【００４２】
[0057]処理システム１１０−１は、静電容量式感知を制御するように構成されることができ、処理システム１１０−２は、表示更新を制御するように構成されることができる。処理システム１１０−１は、同期メカニズム１９１を介して処理システム１１０−２と結合され得る。処理システム１１０−１及び処理システム１１０−２は、同期メカニズム１９１を介して互いに通信することができる。一実施形態において、処理システム１１０−２は、同期信号に応答して感知領域をスキャンするために変調される複合電極の組を変更することができる。一実施形態において、処理システム１１０−１は、レシーバのサンプリングと同期された信号を、同期メカニズム１９１を介して処理システム１１０−２に与えることができる。別の実施形態において、処理システム１１０−２は、トランスミッタ信号（ディスプレイ基準電圧）を、複合電極を駆動するのに共用できる別のトランスミッタ信号に切り替えることができる。一実施形態において、ディスプレイ基準電圧は、同期メカニズムを介して処理システム１１０−１に与えられることができ、処理システム１１０−１は、その基準電圧を、複合電極で駆動されるべきトランスミッタ信号として使用することができる。その他の実施形態において、同期メカニズム１９１は、処理システム１１０−１と処理システム１１０−２の間で基準信号を共有することができる。同期信号は、複合電極のために表示と共用できるタイミングを生成するために処理システム１１０−１と処理システム１１０−２の間で共有され得る。一実施形態において、ピクセル行タイミング及び垂直フレームタイミングを示すことができる同期信号が、共有され、同期のために使用され得る。その他の実施形態において、同期信号は、異なるトランスミッタ電極を直接駆動するか、若しくは異なるレシーバ電極で受信するため、又は入力要素（例えば、ボタン、スクロールストリップなど）を初期化するためなど、処理システム１１０−１又は１１０−２のいずれかの中でその他の目的のために使用されることもできる。処理システム１１０が処理システム１１０−１及び処理システム１１０−２を備える一部の実施形態において、同期メカニズムが、処理システム１１０によって備えられ、複合電極のために表示と共用できるタイミングを生成ことができる。さまざまな実施形態において、ディスプレイのＶｃｏｍが、ディスプレイ基準共通電圧である。そのような実施形態において、基準電圧は、複合電極のために表示と共用できる同期電圧をもたらすために処理システム１１０−１と処理システム１１０−２の間で共有され得る。一実施形態において、表示と共用できる同期電圧は、表示動作を著しく妨げることがない、静電容量式感知のために与えられるトランスミッタ信号を含む。一実施形態において、表示された画像は、著しい目に見える表示の欠陥を含まない。別の実施形態において、表示と共用できる同期電圧は、ピクセル更新時間中に静電容量式感知を妨げないピクセル更新電圧を含む。ある実施形態において、これは、静電容量式センサーシステムの著しいレポート位置の誤りを引き起こさないことを含む。
【００４３】
[0058]さまざまな実施形態において、表示更新と静電容量式感知の間の干渉を防止するために、処理システム１１０は、表示更新時間中、電圧の遷移（例えば、エッジ）の発生及び駆動を中止することができる。別の実施形態において、処理システム１１０は、「雑音の多い」表示更新時間中、処理システム１１０のレシーバ回路のゲートをオフにするか、又は復調を中止することができる。その他の実施形態において、表示更新と静電容量式感知の間の干渉を防止するために、処理システム１１０−１及び／又は処理システム１１０−２は、表示更新時間中、電圧の遷移（例えば、エッジ）の発生及び駆動を中止することができる。表示更新時間は、同期メカニズム１９１を介して処理システム１１０−２から処理システム１１０−１に伝達され得る。さらに別の実施形態において、処理システム１１０−２は、「雑音の多い」表示更新時間中、処理システム１１０−１のレシーバ回路のゲートをオフにするか、又は復調を中止するように同期メカニズム１９１を介して処理システム１１０−１に信号を送ることができる。
【００４４】
[0059]別個のディスプレイ駆動電子機器（例えば、処理システム１１０−２）と静電容量式感知電子機器（例えば、処理システム１１０−１）の間の同期は、同期メカニズム１９１（例えば、電子パルスを運ぶ電極）を用いたシステム間の通信によって実現され得る。一部の実施形態において、トリガーシステムが、処理システム１１０−１及び処理システム１１０−２が別個のクロックドメインを有する場合に同期を可能にすることができる。トリガーシステムは、オシロスコープで利用可能である標準的なモード（例えば、遅延時間、アクティブ時間、トリガーホールドオフ時間など）と似た標準的なモードを有する可能性があるか、又はより普通の再生技術を使用する可能性がある。その他の実施形態において、ベクトルテーブル、ＬＵＴ（ルックアップテーブル）などが、トリガーイベント及びタイミングを生成する際に使用され得る。その他の実施形態において、タイミング回復信号（例えば、遅延ロックループ、位相ロックループなど）が、同期のために使用され得る。さらにその他の実施形態において、処理システム１１０−１は、複合電極上の遷移をもたらす（例えば、変調する）こと、ゲーティング（ｇａｔｉｎｇ）、又はどの電極が変調されるかを選択すること（例えば、複合電極の組を選択すること）のために同期信号を伝達することもできる。同期信号は、イベントを引き起こすことができるか、又は空間を節約するためにより複雑な信号（例えば、ＴＦＴガラスのためのシフトレジスタのクロッキング）を駆動することができる。一部の実施形態において、接地基準電圧が、処理システム１１０−１と１１０−２の間で伝達される。その他の実施形態において、接地に対するその他の電圧（例えば、Ｖｃｏｍ、Ｖｃｏｍ＋、Ｖｃｏｍ−などの共通ディスプレイ電圧）も、伝達され得る。そのような伝達される基準は、どちらかの処理システムが、複合電極を駆動し、表示性能に対する静電容量式感知のあらゆる悪影響、又は静電容量式感知の性能に対する表示更新のあらゆる悪影響を減らすことを可能にすることができる。
【００４５】
[0060]結合１９０−１は、複数の複合電極が一緒に結合され、それから、処理システム１１０−２と結合され得ることを示す。そのような構成において、複数の複合電極は、同様のトランスミッタ信号で同時に駆動され得る。結合１９０−２は、個々の複合電極が処理システム１１０−２と個々に結合され得ることを示す。結合１９０−３は、個々の複合電極と処理システム１１０−２の間のカップリングがスイッチを備え、スイッチが開いているとき、対応する複合電極が駆動されず、スイッチが閉じているとき、対応する複合電極が駆動され得ることを示す。一部の実施形態において、スイッチは、さまざまなディスプレイ電圧及びそれらの電圧に関連する生成する電子機器に結合することができる。結合１９０−４は、複合電極のどちらかの端部が処理システム１１０−２と結合され得ることを示す。別の実施形態において、複合電極は、結合１９０−６及び１９０−１によって示されるように、両端で処理システム１１０−２と結合され得る。別の実施形態において、複合電極は、両端で処理システム１１０−１と結合され得る。結合１９０−５は、複合電極が処理システム１１０−１と結合され（例えば、駆動され）得ることを示す。さらなる実施形態において、複合電極は、処理システム１１０−１と処理システム１１０−２の両方と結合され得る。
第１節
干渉を防止するための復調の変更
【００４６】
[0061]図２は、受信された結果として生じた信号のサンプルを復調及びフィルタリングして静電容量式センサーの干渉感受性を改善するように構成された静電容量式測定システム２００の実施形態を示す。以下の説明全体を通じて、復調するは、復調することとフィルタリングすることの両方を指す可能性がある。１つの例示的な静電容量式測定システムが示されるとしても、その他の知られている（例えば、離散時間及び連続時間）静電容量式測定システムの復調器（ｄｅｍｏｄｕｌａｔｏｒ）及びフィルタも、使用され得る。一実施形態において、電荷が、トランスミッタ信号の遷移中に（例えば、トランスミッタ信号がＨｉｇｈからＬｏｗに、ＬｏｗからＨｉｇｈに、又はその他の同様の電圧に変更されるときに）蓄積され、電流が、感知される静電容量Ｃを通じて伝達され、積分増幅器２１０の反転入力と出力の間に結合される電荷蓄積キャパシタＣＦＢに蓄積される。基準電圧Ｖｒｅｆが、積分増幅器２１０の非反転入力と結合される。ＣＦＢの電圧出力は、伝達される電荷に応じて変わる。ＣＦＢのこの電圧出力は、増幅器２１０によって積分される。何らかの「積分」時間、Ｔｉｎｔの後、ある量の電荷が蓄積され、電圧出力のサンプルが取得され、復調される。積分時間は変動する可能性があるが、その時間が任意のその他のセンサーの時定数と比較して実質的に長くない場合、蓄積される電荷はＴｉｎｔに依存する可能性があり、このことは望ましくない。一実施形態において、センサーが電荷の伝達を遅らせる場合、積分時間及びリセット時間は、トランスミッタの遷移に対してやはり遅らせられる可能性がある。
【００４７】
[0062]蓄積キャパシタの電圧出力は、積分の後、変動する可能性がある「リセット」時間Ｔｒｅｓｅｔの間にリセットされ得る。一実施形態において、リセットは、スイッチＴｒｅｓｅｔを閉じることによってＣＦＢから蓄積された電荷を取り除くことにより行われ得る。これは、出力電圧をその「ゼロ」状態に戻す。ここで、「ゼロ」状態は、Ｖｒｅｆ、信号が何も積分されていないときの平衡出力値である。その後、反対の極性の電圧の遷移が起こると、電荷が蓄積されて、ＣＦＢの出力でサンプリングされる別の電圧を生じることができる。したがって、多くの実施形態において、ＴＳＡＭＰＬＥ＝ＴＤＥＭＯＤ／２以下であるが、これは必須ではない。その他の実施形態において、連続時間復調及びフィルタリングが使用される可能性もあり、又はトランスミッタ期間（ｔｒａｎｓｍｉｔｔｅｒ  ｐｅｒｉｏｄ）ごとに単一の遷移極性（ｔｒａｎｓｉｔｉｏｎ  ｐｏｌａｒｉｔｙ）が使用される可能性がある。
【００４８】
[0063]同じ又はさまざまな重みのより多くの復調は、オーバーサンプリング、高調波キャンセル（ｈａｒｍｏｎｉｃ  ｃａｎｃｅｌｉｎｇ）、相関二重サンプリング、又はＤＣ感知単一極性一定重みづけ（ＤＣ  ｓｅｎｓｉｔｉｖｅ  ｓｉｎｇｌｅ  ｐｏｌａｒｉｔｙ  ｃｏｎｓｔａｎｔ  ｗｅｉｇｈｔｉｎｇ）を含み得る。２つの出力電圧サンプルが、復調周波数（又はその他の可変のタイミング）でそれらのサンプルを組み合わせて静電容量の測定値を得ることによって復調器２１１でフィルタリングされ得る。その他の感知方法も、説明された実施形態の本質を変えることなく使用され得る。例えば、その他の波形（例えば、台形）、静電容量式電流伝達測定（例えば、電流増倍（ｃｕｒｒｅｎｔ  ｍｕｌｔｉｐｌｉｃａｔｉｏｎ））、又は復調方法（例えば、ヘテロダイン検出）が、本明細書に記載のものに加えて使用され得る。また、その他の復調及びリセットスキームもあり得る。一実施形態において、リセットのステップは、存在しない可能性がある（例えば、そのリセットのステップは、長さが０であるか、又は連続的である可能性がある）。以下で説明されるように、干渉の防止を容易にするために、復調のタイミング（例えば、ＴＤＥＭＯＤ及び復調周波数）がトランスミッタ信号のタイミング（例えば、ＴＳＩＧＮＡＬ及びトランスミッタ周波数）と異なることを可能にすることが有利である可能性がある。干渉の防止を容易にするために、トランスミッタ周波数がディスプレイデバイスの行更新レート（又はディスプレイデバイスの単一の色に関する部分的な行更新）と異なることを可能にすることも有利である。一実施形態において、トランスミッタ周波数は、遷移及び／又は復調されたサンプルの間の周期の逆数である。
【００４９】
[0064]図３Ａは、送信されたトランスミッタ信号の周波数と同じである復調周波数を用いた静電容量式センサーの波形３１０Ａを示す。それぞれの遷移は、単一の表示ピクセル行の更新をもたらす。さまざまな実施形態において、それぞれの遷移中に、複数のセグメント分けされたＶｃｏｍ電極のセグメント（例えば、複合電極の組）を用いて送信することが可能である。したがって、トランスミッタ電極のブロック（グループ又は組）は、複数の表示ピクセル行に対応する１つ又は複数のＶｃｏｍ電極のセグメントからなる可能性がある。これらの表示ピクセル行は、隣接している必要はない。複合電極が利用される一実施形態において、静電容量式感知のためのトランスミッタ信号の周波数及びディスプレイデバイスの更新は同じであり、したがって、干渉感受性スペクトル（つまり、干渉感受性対周波数）は決まっている可能性がある。一実施形態において、表示行ごとの１つ又は複数の遷移が起こり得る。遷移は、行の更新と更新の間、又は表示行のピクセル若しくはサブピクセルの更新と更新の間に起こり得る。一実施形態において、遷移は、ソースドライバが行の複数のピクセル又はサブピクセルに多重化される時間の間に起こる。別の実施形態において、遷移は、ディスプレイソースドライバが実質的に分離されるときに、表示行の選択が更新された後、非表示更新時間中に起こり得る。
【００５０】
[0065]Ｖｃｏｍ波形３１０Ａに関連するタッチセンサー復調動作のタイミングの例が、図３Ａに示される。記号表３５０（この表は図３Ｂ、３Ｃ、及び３Ｄにも当てはまる）によって示されるように、復調器のサンプルは、Ｘ、丸の中のＸ、又は空の丸で印をつけられ、信号３１０は、方形波の線で表され、水平矢印は、積分間隔Ｔｉｎｔの長さを表し、垂直矢印は、復調の極性を表す。一実施形態において、復調されるサンプルのフィルタリングは、一様に重みづけされ得る。一実施形態において、中間サンプルは無視され得る（例えば、大きさ０で重みづけされてフィルタリングされる）。
【００５１】
[0066]図３Ａ〜３Ｄにおいて、丸のないＸは、電圧の遷移に続く積分期間の後に発生する復調サンプルを示す。これらの復調サンプルは、新しい情報を含み、「信号サンプル」と呼ばれる。一方、丸の中のＸは、電圧の遷移の積分なしに発生する。これらの復調サンプルは、「暗黙的サンプル（ｉｍｐｌｉｃｉｔ  ｓａｍｐｌｅ）」と呼ばれ、新しい信号情報を何も含まない可能性がある。暗黙的サンプルは、図３Ａに示されるように、リセット期間の後、ただし、次の電圧の遷移の前に発生し得る。これらの暗黙的サンプルは、個々にフィルタリングされるか又はされない可能性がある。一実施形態において、暗黙的サンプルは、２つの信号サンプルの間の差及び暗黙的サンプルの間の距離に基づいて区別をつけてフィルタリングされ得る。暗黙的サンプルは、例えば、二重相関サンプリング（ｄｏｕｂｌｅ−ｃｏｒｒｅｌａｔｅｄ  ｓａｍｐｌｉｎｇ）を実施するために使用され得る。しかし、暗黙的サンプルは、干渉情報を含む可能性があり、したがって、干渉感受性スペクトルをフィルタリングし、干渉感受性スペクトルに影響を与えるために重要である。ラベル「ＴＳＡＭＰＬＥ」が、一組のサンプルが取得され、フィルタリングされ得る（例えば、合計される、低域通過フィルタリングされるなど）期間を定めるために利用される。ラベル「ＴＣＹＣＬＥ」が、トランスミッタ信号周波数の周期を定めるために利用される。
【００５２】
[0067]復調信号サンプルは、電圧の遷移によって引き起こされた結合電荷の伝達を積分することによって生成され得る。一実施形態において、復調信号サンプルは、暗黙的サンプルと信号の積分の終わりとの間を積分することによって生成され得る。表示を妨げないために、又は表示に静電容量式感知の邪魔をさせないように、１つの電圧の遷移（又は２つ以上が使用されるときには複数の遷移）は、表示行の更新に関連する非表示更新期間中に発生するように時間を決められ得る。一実施形態において、ピクセル更新期間中のサンプリングは、多重化された赤−緑−青（ＲＧＢ）画像データによって引き起こされる干渉などの表示からの干渉がこの時間中にレシーバ電極に注入される可能性があるのでやはり避けられる。一実施形態において、変調される複合電極の位置は、更新のために選択されるピクセルのラインと相互に関連付けられる可能性がある。一実施形態において、積分時間の開始は、伝播遅延に対処するためにトランスミッタの遷移から遅らせられる。一実施形態において、伝播遅延は、ディスプレイデバイスのスイッチング時間に起因する。
【００５３】
[0068]図３Ａに示されるように、タッチセンサーの各行は、少なくとも１つの表示ラインが更新される間に発生する１つ又は複数の電圧の遷移を含み得る。一実施形態において、電圧の遷移は、非表示更新期間中に発生する。別の実施形態において、電圧の遷移は、非表示更新期間中に、次の表示ピクセル行が更新される前に発生する。図３Ａの実施形態によれば、１つの遷移が、サンプリングされる新しいレシーバ電極（例えば、レシーバ電極１６０−１）の前に、１つの表示行が更新されるときに発生する。しかし、単一のレシーバ電極がサンプリングしている間に複数の表示行が更新されるとき、復調器の出力を含むようにフィルタリングされる複数の遷移が存在する。一実施形態において、複数の複合電極（又は組若しくはグループ）が、非表示更新時間中に同じ電圧の変化で駆動され、表示更新時間中に同じ異なる電圧（例えば、Ｖｃｏｍなどの共通電圧）に駆動される可能性がある。その他の実施形態において、図９に関連して説明されるように、波形は、表示ピクセル行の更新に関連する非表示更新時間中に（例えば、行が更新された後に発生する水平帰線消去期間中に）発生するように時間を決められる複数の遷移を有する可能性がある。別の実施形態において、複数の遷移は、表示フレームの間の表示の非垂直帰線消去期間中に発生するように時間を決められる。少なくとも１つの表示ピクセル行又はフレームが更新された後、レシーバ電極が、次の表示ラインが更新される前にサンプリングされ、復調される。さまざまな実施形態において、空間的に分かれた表示行に関連する複合電極の複数の独立したブロックが、感知領域をスキャンするために表示行の更新と更新の間、又は表示フレームの更新と更新の間の異なる時間に変調され得る。変調器（ｍｏｄｕｌａｔｏｒ）は、複数の入力オブジェクトを個々に追跡するために、スキャンされた静電容量「画像」又は静電容量測定値の空間的アレーを構成するために複数のレシーバセンサー電極１７０によって実質的に同時に復調及びフィルタリングされ得る。
【００５４】
[0069]図３Ｂは、干渉感受性を改善するために、トランスミッタ信号の周波数とは異なる感知復調周波数を有する例示的な波形を示す。一実施形態において、干渉感受性を改善するために、トランスミッタ信号の周波数とは異なる復調周波数が、使用される。一実施形態において、これは、復調に追加的な暗黙的サンプルを含めることによって可能にされる。図３Ａ、３Ｂ、及び３ＣにおいてＴｒｅｐｅａｔによって示される時間は、図３Ａのサンプリング時間、並びにさらに図３Ｂ及び３Ｃの繰り返されるサンプルの組の間の時間である。
【００５５】
[0070]図３Ｂにおいて、復調周波数は、サンプルタイミングの間に発生するサンプルの数を（例えば、ＴＳＡＭＰＬＥの間の２つのサンプルからＴＳＡＭＰＬＥ１の間の４つのサンプルに）増やすことによって変更される。すべてのトランスミッタ信号の遷移の間に必ずしもサンプリングをしないことによってサンプルの数を減らすことも可能であることに留意されたい。また、ＴＳＡＭＰＬＥ１ごとのサンプルの数が、サイクルごとに変更される可能性がある。続くサイクルの位相も、サイクル（ＴＣＹＣＬＥ）ごとに変調され得る。一実施形態において、サンプルの重みづけが、信号を異なるやり方で復調することによって干渉を防止するために、続くサンプルにおいて変更され得る。
【００５６】
[0071]図３Ｃは、送信されたトランスミッタ信号の周波数とは異なる復調周波数を有する別の例示的な波形を示す。（Ｔｓａｍｐｌｅ２で取得されるサンプルによって示される）図３Ｃの復調されるサンプルの間のサンプル時間は、（Ｔｓａｍｐｌｅ１の間に取得されるサンプルによって示される）図３Ｂのサンプル時間よりも短く、したがって、図３Ｃの復調周波数は、繰返し時間（ＴＲＥＰＥＡＴ）が同じであるとしても図３Ｂの復調周波数よりも高い。
【００５７】
[0072]復調周波数を変えることによって、干渉スペクトル内の異なる高調波を打ち消すことができる。複数の復調サイクルが１つのＶｃｏｍの遷移（例えば、１つの水平表示行）期間中に発生する可能性がある方法が、以下で説明される。さらに、積分（図３ＡのＴｉｎｔ）、リセット時間、及びサンプリングレートが、位相、振幅、及び周波数で変調し、それによって、干渉感受性スペクトルを変えるように調整され得る。例えば、復調サインが、変更されることができ、トランスミッタ信号の相対的な位相、ＴＲＥＳＥＴ、及びＴｉｎｔが変更されることができる。また、復調における周波数及び位相の変調が、干渉感受性スペクトルを拡散し、干渉に対する強さの向上を可能にするために使用され得る。一実施形態において、サンプルの重みづけが、干渉に対する強さを向上するために変更される（すなわち、増やされる、減らされる、又はサインを変えられる）可能性がある。また、復調の結果は、これらに限定されないが、例えば、無限インパルス応答（ＩＩＲ）フィルタ及び有限インパルス応答（ＦＩＲ）フィルタ、連続時間フィルタ、並びに帯域通過フィルタを用いてフィルタリングされ得る。その他の実施形態において、第２の復調器が、フィルタリングの後にさらに使用され得る。一部の実施形態において、入力デバイスの干渉感受性は、受信された結果として生じた信号を上述の方法のうちの２つ以上を用いて復調することによって変えられる可能性がある。
【００５８】
[0073]一実施形態において、干渉の防止は、センサーの復調周波数を変えることによって、及び受信された信号をトランスミッタ信号の各半サイクルの間に（１つの遷移しか持たないトランスミッタ信号に関してさえも）２回以上サンプリングすることによって実現される可能性があり、これらのことは、はるかに多くの種類の復調及び周波数が使用されることを可能にする。一対の信号サンプルが２５０ｋＨｚの復調周波数（それぞれの復調の極性について２μｓの間隔）を有する可能性があるが、電圧の遷移は５０ｋＨｚ（２５ｋＨｚのトランスミッタ信号周波数の各エッジ）でしか発生し得ないある例について考える。これは、４つの復調サンプルに対して１つの正の信号サンプル及び１つの負の信号サンプルをもたらし（２つの信号サンプル及び２つの暗黙的サンプルが存在することになる）、各信号サンプルの対は、４０μｓの完全なトランスミッタ変調サイクルにおいて２０μｓ離間される。一部の実施形態において、その他のサンプルの重みづけに関係なく、遷移信号（ｔｒａｎｓｉｔｉｏｎｓ  ｓｉｇｎａｌ）を含むサンプルの和が、同様にフィルタリングされ、静電容量信号（ｃａｐａｃｉｔｉｖｅ  ｓｉｇｎａｌ）に対する応答は、同じままである。
【００５９】
[0074]一部の実施形態において、図３Ｄに示されるように、正の復調される信号サンプルと負の復調される信号サンプルの間で取得されるゼロ信号（中間サンプル）が存在し得る。図３Ｄによって示される実施形態においては、正の復調される信号サンプルと負の復調される信号サンプルの間に７つの中間サンプルが存在する。中間サンプルは、処理中に使用されるか又は使用されない可能性がある、復調器周波数の部分的サイクルである可能性がある。これらの中間信号を盛り込むことは、入力デバイスの干渉感受性を変えるが、信号応答は必ずしも変えない。例えば、一実施形態において、中間サンプルを盛り込むことは、短い積分時間のためにＤＣで０になる（積分時間によって設定される包絡線を有する）２５０ｋＨｚの結果として生じた信号から外れた５０ｋＨｚの感受性側波帯（ｓｕｓｃｅｐｔｉｂｉｌｉｔｙ  ｓｉｄｅｂａｎｄ）をもたらす。同じ結果として生じた信号を用いた単一対復調スキーム（ｓｉｎｇｌｅ  ｐａｉｒ  ｄｅｍｏｄｕｌａｔｉｏｎ  ｓｃｈｅｍｅ）及び二重復調スキーム（ｄｏｕｂｌｅ  ｄｅｍｏｄｕｌａｔｉｏｎ  ｓｃｈｅｍｅ）（又はより高次のｓｉｎｃ、成形、若しくはＦＩＲ復調ループ）に関する干渉感受性スペクトルは、十分に直交しており（例えば、あまりピークが重ならず）、（１＋２Ｎ）ｘ２５ｋＨｚにピークを持つ第１のスペクトル及びＮｘ５０ｋＨｚにピークを持つ第２のスペクトルを含む。したがって、これらの２つの復調スキームの間の選択をする能力は、送信されるトランスミッタ信号の周波数が実質的に固定されているときでさえも、復調周波数切り替えによって効果的な干渉の防止を可能にする。さまざまな実施形態において、復調周波数がトランスミッタ信号の周波数と異なるとき、復調された結果は、十分に定常的な電圧になく、その結果は、選択的にフィルタリング又は復調され、再びフィルタリングされる可能性がある。さらに、さまざまな実施形態において、復調周波数は、トランスミッタ信号の周波数に関連して変わる。その他の実施形態において、フィルタは、復調周波数とトランスミッタ信号の周波数の間の周波数の差に関してフィルタリングするように変更され得る。
【００６０】
[0075]さらなる実施形態において、複数のさらに高いレートのサンプルが、結果として生じた信号の各遷移の周辺で取得され、受信された結果として生じた信号の位相と周波数の両方の変調を可能にすることができる。例えば、一実施形態において、図３Ｄにおいて中間サンプルとしてラベル付けされたいくつかのサンプルが、周波数感受性（ｆｒｅｑｕｅｎｃｙ  ｓｕｓｃｅｐｔｉｂｉｌｉｔｙ）を変えるために信号の計算に含められ得る。これらのサンプルは、アナログ形式で取得される（例えば、キャパシタにサンプリングされる）か、又はデジタル形式で取得される（例えば、アナログデジタルコンバータ（ＡＤＣ）を用いてサンプリングされる）ことができる。
【００６１】
[0076]復調スキームを変更することは、１つのスキームを用いているときに干渉が何らかの所定のレベルを超えていることが認められるときに行われ得ることが理解される。これが起こるとき、代替的な復調スキームが使用されることができる。一部の実施形態において、１つ又は複数の復調スキームが備えられる可能性があり、最も干渉が少ない復調スキームが選択され、使用されることができる。これは、以下の段落でより詳細に説明される。
第１の例示的な処理システム
【００６２】
[0077]図４は、さまざまな実施形態による、入力デバイス（例えば、入力デバイス１００）で利用され得る第１の例示的な処理システム１１０Ａを示す。処理システム１１０Ａは、１つ若しくは複数のＡＳＩＣ、１つ若しくは複数のＩＣ、１つ若しくは複数のコントローラ、又はこれらの何らかの組み合わせで実装され得る。一実施形態において、処理システム１１０Ａは、入力デバイス１００の感知領域１２０を実装する複数のトランスミッタ電極（又は複合電極）及び複数のレシーバ電極と通信可能なように結合される。入力デバイス１００の一実施形態において、処理システム１１０Ａは、トランスミッタ回路４０５と、レシーバ回路４１５と、復調回路４２５と、復調種類セレクタ４３５とを含む。一部の実施形態は、計算回路４４５を追加的に含む。
【００６３】
[0078]トランスミッタ回路４０５は、感知領域に配置される１つ又は複数のトランスミッタ電極（又は複合電極）を用いてトランスミッタ信号を送信するように動作する。所与の時間間隔において、トランスミッタ回路４０５は、複数のトランスミッタ電極のうちの１つ又は複数を用いてトランスミッタ信号（波形）を送信することができる。トランスミッタ回路４０５は、複数のトランスミッタ電極のうちの１つ又は複数のトランスミッタ電極を、そのようなトランスミッタ電極を用いて送信していないとき、接地に、又は基準電圧（例えば、Ｖｃｏｍ若しくは何らかのその他の基準電圧）などの一定の電圧に結合するためにやはり利用され得る。トランスミッタ回路は、感知領域をスキャンするために、異なる時間に異なるトランスミッタ（複合）電極をスキャンすることができる。トランスミッタ信号は、方形波、台形波、又は何らかのその他の波形である可能性がある。さまざまな実施形態において、図９の波形９１０、９２０、及び９３０が、トランスミッタ回路４０５によって駆動され、トランスミッタ電極／複合電極を用いて送信され得る波形のいくつかの例を示す。波形９１０、９２０、及び９３０は、複数の遷移（例えば、２つ以上）が、送信されたトランスミッタ信号の波形において行われ、それらの遷移が非表示更新期間（例えば、水平帰線消去期間又は垂直帰線消去期間）中に発生するように時間を決められる可能性があることを示すことが留意されるべきであり、以下でさらに説明される。非表示更新時間中、遷移は、表示更新にいかなる影響も与えないが、タッチ感知のためのサンプリングを行うための追加の遷移を行う。別の実施形態において、遷移は、表示更新期間と同期している（例えば、行のピクセルの更新又は表示フレームの更新と実質的に同時である）可能性がある。
【００６４】
[0079]レシーバ回路４１５は、１つ又は複数の送信されたトランスミッタ信号に対応する結果として生じた信号をレシーバ電極によって受信するように動作する。受信された結果として生じた信号は、トランスミッタ電極によって送信された（１つ又は複数の）トランスミッタ信号の何らかのバージョン（例えば、結合電荷）に対応し、それを含む可能性がある。しかし、これらの送信されたトランスミッタ信号は、要因の中でもとりわけ、浮遊容量、干渉（雑音）、及び／又は回路の欠陥のために、結果として生じた信号において修正、変更、又はフィルタリングされる可能性があり、したがって、それらのトランスミッタ信号の送信されたバージョンとはわずかに又は大きく異なる可能性がある。結果として生じた信号は、ある時間間隔の間に１つ又は複数のレシーバ電極で受信され得る。一実施形態において、結果として生じた信号は、トランスミッタ信号がトランスミッタ電極を用いて送信されていない間に受信される可能性がある。そのような実施形態において、結果として生じた信号は、周囲／環境からの干渉の量を判定するために使用され得る。図３Ａ〜３Ｄは、（例えば、結合電荷を測定するために電流が積分された後の）レシーバ回路４１５によって受信される結果として生じた信号のサンプリングを示す。一実施形態において、結果として生じた信号をトランスミッタのスキャンの異なる位相でフィルタリングすることが、静電容量式感知領域の異なる位置で静電容量の変化を測定するために使用され得る。
【００６５】
[0080]復調回路４２５は、受信された結果として生じた信号を復調するように動作する。さまざまな実施形態において、復調回路は、復調器及びフィルタを備える。復調回路４２５は、結果として生じた信号を複数の違った手法で復調するように構成され得る。一実施形態において、結果として生じた信号は、ユーザ入力によって影響を受ける。例えば、受信された結果として生じた信号は、ユーザ入力によって振幅、位相、又は周波数に影響を受ける可能性がある。これは、復調回路４２５が、結果として生じた信号を第１の手法で復調することによって第１の復調された出力を取得すること、結果として生じた信号を、結果として生じた信号が復調された第１の手法とは異なる第２の手法で復調することによって第２の復調された出力を取得することなどを可能にする。さまざまな実施形態において、復調の第１の手法及び第２の手法は異なり、その理由は、復調回路４２５が、第１の手法では第２の手法に比べて異なるようにサンプルを重みづけすること、復調回路４２５が、第１の手法では第２の手法に比べて異なる位相のサンプルを取得すること、復調回路４２５が、第１の手法では第２の手法に比べて異なる数のサンプルを利用すること、及び／又は第１の手法では第２の手法に比べて異なる時間間隔が、復調回路４２５によって使用されるサンプル間に存在することである。結果として生じた信号を復調するための異なる手法の例が、図３Ａ〜３Ｄに示されている。さらに、その他の実施形態において、復調回路４２５は、第１の結果として生じた信号を、第１の手法及び第２の手法とは異なる第３の手法で復調するようにさらに構成され得る。さらなる実施形態において、復調回路４２５は、第１の結果として生じた信号を任意の数の手法で復調するようにさらに構成される可能性があり、それぞれの手法は異なる。連続時間復調器において、復調は、振幅、周波数、又は位相が変わり得る。さらに、さまざまな実施形態において、復調された信号のポストフィルタリングは、帯域幅、（１つ又は複数の）遮断周波数、又は位相が変わり得る。さまざまな実施形態において、ポストフィルタリングは、サンプリングの前の第２の復調を含み得る。
【００６６】
[0081]復調種類セレクタ４３５は、位置情報を決定するために第１の復調された出力を使用することから、位置情報を決定するために第２の復調された出力を使用することへ処理システム１１０Ａを切り替えるように動作する。さまざまな要因が、そのような切り替えをいつ行うべきかを決定するために使用され得る。一実施形態において、復調種類セレクタ４３５は、そのような切り替えの根拠を少なくとも部分的に干渉の量に置く。切り替えは、（例えば、事前に設定された干渉の量を超えるか又は超えない）第１の復調された出力の干渉の量に基づく可能性がある。切り替えは、第１の復調された出力の干渉の量を第２の復調された出力の干渉の量と比較し、干渉の量が最も少ない復調された出力を利用することに基づく可能性もある。その他の実施形態において、切り替えは、測定された干渉の安定性又は一定性に基づく可能性もある。一部の実施形態においては、同様の比較及び切り替えが、３つ以上の異なる種類の復調された出力の間で行われ得る。一実施形態において、干渉の量は、トランスミッタ信号がトランスミッタ回路４０５によって駆動されていないか、又はトランスミッタ電極若しくは複合電極を用いて送信されていない時間の間の周囲／環境からの干渉の測定値である。別の実施形態において、干渉の量は、トランスミッタ信号がトランスミッタ回路４０５によって駆動されていないか、又はレシーバの復調及びフィルタ帯域内でトランスミッタ電極若しくは複合電極を用いて送信されていない時間の間の周囲／環境からの干渉の測定値である。別の実施形態において、干渉の量は、ユーザ入力信号が存在しない（例えば、任意の入力オブジェクトへの無視できるカップリングが存在する）と判定される時間の間の信号電力の変化の測定値である。例えば、復調種類セレクタ４３５は、レシーバ回路４１５に、トランスミッタ信号がトランスミッタ回路４０５によってどのトランスミッタ電極を使っても送信されていない期間中に第２の結果として生じた信号を受信するように指示することができる。次に、復調種類セレクタ４３５は、復調回路４２５に、この第２の結果として生じた信号を第１の手法及び第２の手法のうちの１つで復調することによって第３の復調された出力を取得するように指示する。復調種類セレクタ４３５は、この第３の復調された出力に存在する干渉の量を判定し（及び周囲からの干渉が存在する周波数も判定する可能性がある）、使用する復調の種類の選択にこの量を使用することができる。その他の実施形態において、復調種類セレクタ４３５は、復調回路４２５に、第２の結果として生じた信号を第１の手法と第２の手法の両方で復調することによって第３の復調出力及び第４の復調出力を取得するようにさらに指示することができる。さらなる実施形態において、復調種類セレクタ４３５は、復調回路４２５に、第２の結果として生じた信号を複数の異なる手法で復調することによって任意の数の復調出力を取得するようにさらに指示することができる。復調器種類セレクタ４３５は、各復調出力の干渉を互いに比較し、干渉の量が最も少ない復調の種類を選択することによって復調の種類を選択するように構成され得る。その他の実施形態において、復調種類セレクタ４３５は、各復調出力の干渉の量を所定の量と比較し、所定の量未満の復調の種類を選択するように構成される。さまざまな実施形態において、トランスミッタ回路４０５は、トランスミッタ電極（複合電極）の変調を変更して復調器の効果を最適化することもできることに留意されたい。
【００６７】
[0082]一実施形態において、含まれるとき、計算回路４４５は、トランスミッタ電極とレシーバ電極の間のトランスキャパシタンスカップリング（ｔｒａｎｓｃａｐａｃｉｔｉｖｅ  ｃｏｕｐｌｉｎｇ）の変化の測定値を決定するように動作する。次いで、計算回路は、トランスキャパシタンスカップリングの変化のこの測定値を使用して、感知領域１２０に対する入力オブジェクト（もしあれば）の位置を判定する。変化の測定値は、復調回路４２５によって取得される復調された出力に基づいて決定される。一実施形態において、干渉の量が所定の量を超えないとき、第１の復調された出力が使用される。一実施形態において、干渉が所定の量を超える、第２の復調された出力が使用される。どの復調された出力を使用すべきかの選択は、一部の実施形態において、上述の方法で復調種類セレクタ４３５によって行われる。一実施形態において、１つ又は複数のフィルタリングされた又は圧縮された基準が、容量性カップリングの変化を判定するために使用され得る。
【００６８】
[0083]一部の実施形態において、処理システム１１０Ａ、及びその処理システム１１０Ａが一部である入力デバイス１００が、ディスプレイデバイスなどの電子システム１５０に配置されるか、又は電子システム１５０と通信可能なように結合される可能性がある。１つのそのような一体化された実施形態において、トランスミッタ電極は、（例えば、ディスプレイデバイスのディスプレイと一体化されるタッチスクリーンデバイスのための）表示更新機能とタッチ感知機能の両方をサポートするための複合電極として利用される。したがって、トランスミッタ回路４０５によってこれらの複合電極で駆動されるトランスミッタ信号は、表示更新とタッチ感知の両方の目的で働く。
静電容量式センサーデバイスのための干渉を防止する例示的な方法
【００６９】
[0084]図５Ａ及び５Ｂは、さまざまな実施形態による、静電容量式センサーデバイスのための干渉を防止する例示的な方法の流れ図５００を示す。例示を目的として、流れ図５００の説明において、図４の処理システム１１０Ａのコンポーネントに対する参照がなされる。一部の実施形態においては、流れ図５００に示された手順のすべてが実施されるわけではない。一部の実施形態において、示された手順に加えてその他の手順が実施され得る。一部の実施形態において、流れ図５００に示された手順は、図示された及び／又は説明された順序とは異なる順序で実施され得る。
【００７０】
[0085]流れ図５００の５１０において、一実施形態では、トランスミッタ信号が、静電容量式センサーデバイスのトランスミッタ電極によって送信される。一実施形態において、トランスミッタ回路４０５が、トランスミッタ信号を駆動する。トランスミッタ信号は、方形波、台形波、又はその他の波形などの波形である。一部の実施形態において、静電容量式センサーデバイスがディスプレイデバイスのディスプレイと連携して利用される、及び／又はディスプレイデバイスのデバイスと一体化されるとき、トランスミッタ信号は、そのトランスミッタ信号が、ディスプレイデバイスの行の更新に関連する非表示更新期間中に発生する２つ以上の遷移を含むように送信され、時間を決められる。一部の実施形態において、処理システム１１０は、表示のフレームの更新に関連する非表示更新時間（例えば、垂直帰線消去期間）中に異なる時間又は位相で複合電極の２つ以上のグループを用いて送信する（例えば、複合電極の第２のグループが定常電圧で駆動される間に複合電極の１つのグループを用いて送信する）ように構成され得る。１つのそのような実施形態において、ディスプレイデバイス（例えば、そのディスプレイデバイスの１つ又は複数の表示行）は、静電容量式センサーデバイスの感知領域に少なくとも部分的に重なる。
【００７１】
[0086]流れ図５００の５２０において、一実施形態では、結果として生じた信号が、静電容量式センサーデバイスのレシーバ電極によって受信される。上述のように、結果として生じた信号は、トランスミッタ信号に対応する。一実施形態において、結果として生じた信号は、レシーバ回路４１５によって受信センサー電極から受信される。
【００７２】
[0087]流れ図５００の５３０において、一実施形態では、第１の復調された出力が、結果として生じた信号を第１の手法で復調することによって取得される。一実施形態において、復調回路４２５が、結果として生じた信号を、その復調回路４２５が復調することができる複数の異なる手法のうちの第１の手法で復調することによってこの第１の復調された出力を取得する。
【００７３】
[0088]流れ図５００の５４０において、一実施形態では、第２の復調された出力が、結果として生じた信号を第２の手法で復調することによって取得され、第２の手法と第１の手法とは互いに異なる。一実施形態において、復調回路４２５が、結果として生じた信号を、その復調回路４２５が復調することができる複数の異なる手法のうちの第２の手法で復調することによってこの第２の復調された出力を取得する。復調の第１の手法及び第２の手法は異なる可能性があり、その理由は、第２の手法では第１の手法とは異なるようにサンプルが重みづけされるため、第２の手法では第１の手法とは異なる位相でサンプルがサンプリングされるため、第２の手法では第１の手法とは異なる数のサンプルが使用されるため、及び／又は第２の手法が第１の手法とは異なる１つ若しくは複数のサンプル間時間間隔を利用するためであることが理解される。
【００７４】
[0089]流れ図５００の５５０において、一実施形態では、方法は、位置情報を決定するために第１の復調された出力を使用することから、位置情報を決定するために第２の復調された出力を使用することへ切り替える。切り替えは、干渉の量に少なくとも部分的に基づく。一実施形態において、復調種類セレクタ４３５が、いつ、どの種類の復調に切り替えるべきかを決定する。一実施形態において、干渉の量は、第１の復調された出力の干渉の測定値に基づく。一実施形態において、干渉の量は、第２の復調された出力の干渉の測定値に基づく。量は、互いに、又は所定の尺度と比較され得る。一実施形態において、干渉の量は、トランスミッタ信号がトランスミッタ回路４０５によって送信されていない時間の間の周囲／環境からの干渉の測定値である。例えば、レシーバ回路４１５が、帯域内トランスミッタ信号がトランスミッタ回路４０５によってどのトランスミッタ電極／複合電極を使っても送信されていない期間中に、レシーバ電極から第２の結果として生じた信号を受信する。例えば、一実施形態において、復調信号及び送信されたトランスミッタ信号は、結果として生じた信号が実質的に０であるように位相がずれている（実質的に直交している）可能性がある。一実施形態において、これは、レシーバ電極を用いて受信する間、トランスミッタ電極を用いてトランスミッタ信号を送信しないことに等しい可能性がある。一実施形態において、ユーザ入力信号の影響が、送信されたトランスミッタ信号とは無関係に存在する可能性がある干渉と区別され得る。一実施形態において、復調回路４２５が、この第２の結果として生じた信号を第１の手法及び第２の手法のうちの１つで復調し、第３の復調された出力に存在する干渉の量を判定することによってこの第３の復調された出力を取得する。次に、第３の復調された出力からのこの干渉の量が、使用するために複数の異なる種類の復調（例えば、第１の種類、第２の種類など）の中から選択をするための根拠として使用される。
【００７５】
[0090]流れ図５００の５６０において、一実施形態では、方法は、干渉の量が第１の量未満であるとき、第１の復調された出力に基づいてトランスミッタ電極とレシーバ電極の間のトランスキャパシタンスカップリングの変化の測定値を決定する手順をさらに含む。一実施形態において、これは、復調種類セレクタ４３５が、干渉の量が第１の所定の量未満であるときに処理システム１１０Ａによって使用される復調の種類を選択することを含む。次いで、計算回路４４５が、（もしあれば）トランスキャパシタンスカップリングの変化の測定値を決定する。
【００７６】
[0091]流れ図５００の５７０において、一実施形態では、次に、流れ図５００の５６０で決定されたトランスキャパシタンスカップリングの変化の測定値が、計算回路４４５によって感知領域１２０に対する入力オブジェクト（もしあれば）の位置情報を決定するのに使用される。
【００７７】
[0092]流れ図５００の５８０において、一実施形態では、方法は、干渉の量が第１の量を超えるとき、第２の復調された出力に基づいてトランスミッタ電極とレシーバ電極の間のトランスキャパシタンスカップリングの変化の測定値を決定する手順をさらに含む。一実施形態において、これは、復調種類セレクタ４３５が、干渉の量が第１の所定の量を超えるときに処理システム１１０Ａによって使用される復調の種類を選択することを含む。次いで、計算回路４４５が、（もしあれば）トランスキャパシタンスカップリングの変化の測定値を決定する。
【００７８】
[0093]流れ図５００の５９０において、一実施形態では、次に、流れ図５００の５８０で決定されたトランスキャパシタンスカップリングの変化の測定値が、計算回路４４５によって感知領域１２０に対する入力オブジェクト（もしあれば）の位置情報を決定するのに使用される。
第２節
干渉を防止するための搬送波（トランスミッタ信号）周波数の切り替え
【００７９】
[0094]図６は、複数の表示行６１０及びそれらの表示行６１０のそれぞれの更新時間を有するディスプレイを備えるディスプレイデバイス及びタイミング６００を示す。一実施形態において、物理的な行の電極が、ディスプレイの上から下まで関連するピクセルを順に更新するために使用される。ピクセル（又はピクセルカラーチャネル）の更新が、左から右に示される。一実施形態において、複数の表示行６１０に関連する共通電極が、静電容量式センサーデバイスの感知領域に少なくとも部分的に重なる。一実施形態によれば、さらに示されているのは、表示ピクセル行の各ピクセル更新時間６４０の終わりの非表示更新時間６５０である。非表示更新時間６５０は、ディスプレイデバイスの表示ピクセル行の更新に関連する。一実施形態にしたがって、表示ピクセル行６１０の下に、非表示更新時間６２０がやはり示されている。示されるように、ライン更新時間６３０は、少なくともピクセル更新時間６４０と非表示更新時間６５０の合計である。非表示更新時間６５０は、水平帰線消去期間又は非更新時間と呼ばれることもあり、非表示更新時間６２０は、垂直帰線消去期間（ライン又は行）と呼ばれることもある。一実施形態において、異なる行に関連する非表示更新時間は、異なる可能性がある。例えば、一実施形態において、異なる行に関連する非表示更新時間は、ディスプレイデバイスを外部ソースと同期するために異なる可能性がある。例えば、前のフレームの最後の行とフレームの最初の行の間の非表示更新時間は、単一のフレームの第１の行と第２の行の間の非表示更新時間よりも長い可能性がある。
【００８０】
[0095]ディスプレイデバイス６００のトランスミッタ信号周波数（搬送波信号周波数）は、表示フレームリフレッシュレート（フレームレート）、表示ピクセル行６１０の数、ピクセル更新時間６４０、非表示更新時間６５０、及び非表示更新時間６２０の関係に基づく可能性がある。さらに、たとえ図６が、各表示ピクセル行のピクセル行更新時間６４０の後に発生する非表示更新時間を示すとしても、その他の実施形態においては、非表示更新時間はその他の時間に発生する可能性があり、及び／又は複数の非表示更新時間が各表示ピクセル行で発生する可能性がある。さまざまな実施形態において、複数のピクセルが、ピクセル行更新時間中に更新され得る。例えば、非表示更新時間は、表示ピクセル行の各ピクセルチャネルを更新した後（例えば、それぞれの赤、青、及び／又は緑カラーチャネルを更新した後）発生し得る。さまざまな実施形態において、非表示更新時間は、表示ピクセル行ごとに（例えば、１番目と２番目で又は最後と最初で）変わり得る。一実施形態において、行の選択は、ディスプレイドライバ一体型コントローラ（Ｄｉｓｐｌａｙ  Ｄｒｉｖｅｒ  Ｉｎｔｅｇｒａｔｅｄ  Ｃｏｎｔｒｏｌｌｅｒ）（ＤＤＩＣ）によって（行として）選択された薄膜トランジスタ（ＴＦＴ）ガラス上のトランジスタを使用することを含み得る。ＤＤＩＣは、ＴＦＴガラスに配置され、チップオングラス（ＣＯＧ）接続によって表示ピクセル行に電気的に結合され得る。一実施形態において、（異方性導電膜（ＡＣＦ）によって接続された）別個の配線が、ホスト処理システムに、及び処理システムのその他の要素に信号を搬送することができる。
【００８１】
[0096]ライン更新時間６３０を変えることによって、非表示更新時間６５０を調整することによって、及び／又は垂直帰線消去ラインの数を調整することによって、同期されたトランスミッタ信号周波数が、表示フレームリフレッシュレートを変えることなく干渉を防止するために切り替えられるか、又は変調されることができる。そのような実施形態において、１つの復調周波数又は複数の復調周波数が、干渉の防止を行いながら、トランスミッタ信号周波数と同様に切り替えられることができ、さまざまな同期方法が、同様であることを維持するために使用されることができる。水平行タイミング及び垂直フレームタイミングを示すことができる同期信号が、共有され、同期のために使用され得る。さらに、表示ピクセル行ごとの複数の水平帰線消去期間が使用されるとき、それぞれの時間を個別に変えることができる。ディスプレイデバイスにおいては、表示品質を保つために（例えば、ちらつき、色ずれ、又はその他の視覚的に認識され得る問題を防止するために）ピクセル更新時間６４０及び表示フレームリフレッシュレートを維持することが望ましい場合が多い。ディスプレイデバイスのための処理システムと静電容量式センサーデバイスのための処理システムの間の、又はそれらの処理システム内の同期シグナリングが、水平リフレッシュレートの同期を維持し、垂直帰線消去期間の長さを制御し、トランスミッタ信号周波数の変更要求を管理し、又はトランスミッタ信号周波数が変わり得ることを示すために使用されることができる。一実施形態において、そのような同期は、共通の処理システムを利用して、一体化された静電容量式センサーデバイス及びディスプレイデバイスにおいて静電容量式タッチ感知及び表示更新を実行することによって容易にされる。別の実施形態において、同期された信号が、静電容量式感知デバイスとディスプレイデバイスの間で共有される。一実施形態において、この信号は、ディスプレイの表示ライン又はピクセルタイミングに基づいて生成され得る。一実施形態において、この信号は、ディスプレイのフレームタイミングに基づいて生成され得る。
【００８２】
[0097]ディスプレイデバイス６００が、表示ピクセル行ごとに１５μｓのピクセル更新時間６４０及び表示ピクセル行ごとに約５μｓの水平帰線消去期間を伴う８００表示ピクセル行６１０を有する例について考える。そのような実施形態において、ライン更新時間は、２０μｓであり、（例えば、ラインごとに１／２サイクルを用いるライン反転法に関して）約２５ＫＨｚのＶｃｏｍ搬送波周波数に対応する。この例において、合計８１０行に対して１０垂直帰線消去ラインが存在する。したがって、フレームリフレッシュレートは１／（８１０＊２０μｓ）であり、これは約６０Ｈｚである。一実施形態において、表示をビデオソース又は画像ソースに同期するために、追加的なラインが追加されることができるか、又はラインが取り除かれることができる。
【００８３】
[0098]静電容量式センサーの干渉感受性を変えるために、第１の周波数を有するトランスミッタ信号が、第２の周波数を有する第２のトランスミッタ信号に切り替えられることができ、第１の周波数と第２の周波数は異なる。第１の周波数を有するトランスミッタ信号から第２の周波数を有する第２のトランスミッタ信号に切り替えるために、ライン更新時間６３０と、非表示更新時間６５０と、非表示更新時間６２０の数とが、一定又は実質的に一定のフレームリフレッシュレート、及び各表示ピクセル行の一定のピクセル更新時間６４０を維持するために調整され得る。この例にしたがうと、１０パーセント高い２７．５ｋＨｚのトランスミッタ信号周波数に対して、ピクセル更新時間６４０を１５μｓで一定に保ち、約６０Ｈｚの一定のフレームリフレッシュレートを維持するためには、ライン更新時間６３０は約１８μｓであり、より短い非表示更新時間６５０は約３μｓである。したがって、ライン更新時間６３０を変更するために、非表示更新時間６５０と、非表示更新時間６２０の長さ（例えば、等価な行の数）とが、変わる。この例に基づけば、８００表示行及び１０垂直帰線消去ライン並びに２０μｓのライン更新時間を有するディスプレイデバイスに関して、表示のフレームリフレッシュの間に更新されるべき８１０総ピクセル行（表示行＋垂直帰線消去ライン）が存在する。１８μｓのライン更新時間のためには、３μｓの水平帰線消去期間を伴う９００総ピクセル行が必要とされ、表示ピクセル行６１０の数が、ディスプレイの解像度に基づいて一定である（この例においては８００ピクセルライン）ので、垂直帰線消去期間の長さ（例えば、同等のラインの数）が、１０ラインから１００ラインに増やされる。したがって、トランスミッタ信号の周波数を切り替え、干渉の防止のために復調周波数を同様に切り替え、この例においては、フレームリフレッシュレートを変えることなく約１０％のライン周波数切り替えを行うことが可能である。その他の実施形態において、ライン更新時間６３０、及び非表示更新時間６５０、及び非表示更新時間６２０の数が、別々に変えられることもでき、システムの干渉感受性をやはり変えることができる。別の実施形態において、複数の非表示更新時間が、各非表示更新時間中に複数の遷移を伴って単一の表示フレームにおいて発生する可能性がある。一実施形態において、静電容量画像が、２つの別個の垂直帰線消去期間に対して測定される可能性がある。第１の垂直帰線消去期間は、表示フレームピクセル行の第１の部分に関連する可能性があり、第２の垂直帰線消去期間は、表示フレームピクセル行の第２の部分に関連する可能性がある。第１の部分及び第２の部分は、インターレースされるか、又は連続的である可能性がある。そのような実施形態において、静電容量測定フレームレートは、表示フレームレートとは異なるレートである可能性がある。
【００８４】
[0099]さまざまな実施形態において、垂直帰線消去ラインのうちの１つ又は複数の長さが、やはり変えられ得る。その他の実施形態において、複数の遷移が受信され、ユーザ入力によって引き起こされたトランスミッタ電極とレシーバ電極の間のトランスキャパシタンスカップリングの変化を判定するために使用され得る。一実施形態において、信号が、水平非表示更新時間又は垂直帰線消去ラインの変化を示すためにディスプレイデバイスと静電容量式感知デバイスの間で共有され得る。一実施形態において、トランスミッタ周波数及び復調周波数が、非表示更新時間を変えることなく変更され得る。一実施形態において、非表示更新時間中に複合電極が送信している（及び／又はレシーバ電極が受信している）時間の量（例えば、継続時間）が、変更される（例えば、一定のサイクル数を維持するが、トランスミッタの周波数を変える）。一部の実施形態において、測定の間の間隔（例えば、継続時間）が、変更され得る。さまざまな実施形態において、複数の水平非表示更新時間（水平帰線消去期間）が、変更され得る。さらに、トランスミッタ信号が、実質的に同時に２つ以上の複合電極（又は複合電極の組）で送信され得る。複合電極は、空間的に離れているか、又は互いに隣接している可能性がある。一実施形態において、複数の複合電極がトランスミッタ信号を用いて駆動されるとき、少なくとも１つのトランスミッタ信号が、水平帰線消去期間中に遷移を含む。一実施形態において、トランスミッタ信号は、更新されている表示ピクセル行から空間的に分かれている複合電極（又は複合電極の組）で駆動され、非表示更新時間中にのみ発生するのではなく、非表示更新時間外に発生する遷移を有する可能性がある。
第２の例示的な処理システム
【００８５】
[00100]図７は、さまざまな実施形態による、入力デバイス（例えば、入力デバイス１００）で利用され得る第２の例示的な処理システム１１０Ｂを示す。処理システム１１０Ｂは、１つ若しくは複数のＡＳＩＣ、１つ若しくは複数のＩＣ、１つ若しくは複数のコントローラ、又はこれらの何らかの組み合わせで実装され得る。一実施形態において、処理システム１１０Ｂは、入力デバイス１００の感知領域１２０の複数のトランスミッタ電極（又は複合電極）及び複数のレシーバ電極と通信可能なように結合される。入力デバイス１００の一実施形態において、処理システム１１０Ｂは、トランスミッタ回路４０５と、レシーバ回路４１５と、継続時間チェンジャー７５５とを含む。一部の実施形態は、表示更新回路７６５、及び／又は図４の処理システム１１０Ａで示されたその他のコンポーネントのうちの１つ若しくは複数（例えば、計算回路４４５）をさらに含む。
【００８６】
[00101]処理システム１１０Ｂ、及びその処理システム１１０Ｂが一部である入力デバイス１００が、ディスプレイデバイス（例えば、ディスプレイデバイス６００）などの電子システム１５０に配置される、及び／又は電子システム１５０と通信可能なように結合される。１つのそのような一体化された実施形態において、複合電極が、（例えば、ディスプレイデバイスのディスプレイと一体化されるタッチスクリーンデバイスのための）表示更新機能と静電容量式感知機能の両方をサポートするために利用される。したがって、トランスミッタ回路４０５によってこれらの複合電極で駆動されるトランスミッタ信号は、表示更新と静電容量式感知の両方の目的で働く。図１Ｂのセンサーパターン（複合電極１６０及びレシーバ電極１７０）をディスプレイデバイス６００（図６）の表示ピクセルライン６１０で覆い、それらの表示ピクセルライン６１０と一体化することは、そのような実施形態の一例である。その他の実施形態において、レシーバ電極及びトランスミッタ電極は、ディスプレイ電極の上に（例えば、カラーフィルタガラス、ディスプレイレンズ、又はディスプレイの若しくはディスプレイ外の別の基板上に）配置され、トランスミッタ電極は、ディスプレイデバイスの一部ではない可能性があり、複合電極ではないが、トランスミッタ電極は、ディスプレイとやはり同期される可能性がある。
【００８７】
[00102]トランスミッタ回路４０５は、感知領域／ディスプレイに配置される１つ又は複数のトランスミッタ電極又は複合電極のトランスミッタ信号を駆動するように動作することができる。所与の時間間隔において、トランスミッタ回路４０５は、複数の複合電極のうちの１つ又は複数のトランスミッタ信号（波形）を駆動することができる。一実施形態において、トランスミッタ信号は、第１の周波数を有する。一実施形態において、複合電極の同じ組（又はグループ）が駆動される時間間隔は、１つの半サイクル（単一の遷移）及び１つの非表示更新時間である可能性があり、又は複数の（半）サイクル及び複数の非表示更新時間の間である可能性がある。一実施形態において、選択される複合電極の空間的選択は、重なり合うようにしてスキャンすることができ、複合電極の組のセグメント分けされたＶｃｏｍ電極のセグメントが、２つの連続する非表示時間に駆動される可能性がある。別の実施形態において、選択される複合電極の空間的選択は、重なり合わないようにしてスキャンすることができ、複合電極のセグメント分けされたＶｃｏｍ電極のセグメントが、連続する非表示更新時間中ではなく、第１の非表示更新時間中に駆動される可能性がある。一実施形態において、４０個の複合電極の組（例えば、複合電極のブロック）が、２デューティサイクル（例えば、２０行の時間）駆動される可能性があり、続く２０サイクルで、複合電極の異なる重ならない組（例えば、異なるブロック）が、駆動される可能性がある。異なる数の複合電極が、各組を形成する可能性があり、組の中の複合電極及び異なる複合電極は、異なる極性で駆動される可能性がある。一実施形態において、異なる数の複合電極が、各組を形成する可能性があり、組の中の複合電極及び異なる複合電極は、異なる電圧で駆動される可能性がある。そのような実施形態において、組からの信号は、同様に変調され、組として復調される。
【００８８】
[00103]別の実施形態において、２０個の複合電極の組が１半サイクル駆動される可能性があり、次いで、複合電極の新しい重なり合う組が駆動される。複合電極の第２の組は、１複合電極だけインクリメントされ、１つを除くすべての複合電極が、重なり合う。その他の実施形態において、これらの組は、異なる数の複合電極が重なり合うようにその他の量だけインクリメントされ得る。
【００８９】
[00104]一実施形態において、複合電極は、処理システム１１０若しくはＤＤＩＣに直接結合されるか、又は選択トランジスタ（ｓｅｌｅｃｔｉｏｎ  ｔｒａｎｓｉｓｔｏｒ）及び仲裁トランジスタ（ａｒｂｉｔｒａｔｉｏｎ  ｔｒａｎｓｉｓｔｏｒ）を介して接続される可能性がある。電極は、処理システム１１０のトランスミッタ回路に異なる又は複数の点で（例えば、左端、右端、又は両端で）結合され得る。トランスミッタ信号は、方形波、台形波、又は何らかのその他の波形である可能性がある。図９の波形９１０、９２０、及び９３０は、トランスミッタ回路４０５によって送信され得るトランスミッタ信号のいくつかの例を示す。波形９１０、９２０、及び９３０は、複数の遷移（例えば、２つ以上）が、送信されたトランスミッタ信号の波形において行われ、それらの遷移が非表示更新期間（例えば、水平帰線消去期間又は垂直帰線消去期間）中に発生するように時間を決められる可能性があることを示すことが留意されるべきであり、以下でさらに説明される。帰線消去期間中、遷移は、表示更新に対して最小限の影響しか与えないが、タッチ感知のためのサンプリング（復調）に十分な遷移をもたらすことができる。
【００９０】
[00105]レシーバ回路４１５は、送信されたトランスミッタ信号（例えば、遷移）に対応する結果として生じた信号をレシーバ電極によって受信するように動作する。受信された結果として生じた信号は、トランスミッタ電極によって送信された（１つ又は複数の）トランスミッタ信号の何らかのバージョンに対応し、それを含む可能性がある。しかし、これらの送信されたトランスミッタ信号は、要因の中でもとりわけ、浮遊容量、干渉（雑音）、及び／又は回路の欠陥のために、結果として生じた信号において修正又は変更される可能性があり、したがって、それらのトランスミッタ信号の送信されたバージョンとはわずかに又は著しく異なる可能性がある。駆動されたトランスミッタ電極（複合電極）の異なる組に対応する結果として生じた信号の復調は、異なるタイミング（例えば、遅らされた若しくは延長された積分及びサンプリング）を含む可能性があるか、又は代替的に、それらのタイミングは、すべて実質的に同様である可能性がある。結果として生じた信号は、ある時間間隔の間に１つ又は複数のレシーバ電極で受信され得る。一実施形態において、低電力モードでは、より少ないレシーバ電極が使用される可能性がある。図３Ａ〜３Ｄは、レシーバ回路４１５によって受信される結果として生じた信号のサンプリングを示す。一実施形態において、結果として生じた信号は、結合静電容量に対するユーザ入力の影響によってやはり変えられ得る。
【００９１】
[00106]持続時間チェンジャー７５５は、ディスプレイデバイスの少なくとも１つの非表示更新時間の継続時間を変えるように動作することができる。これは、水平帰線消去期間、又は垂直帰線消去ラインの数（若しくは垂直帰線消去期間の継続時間）のうちの１つ又は複数の変化である可能性がある。一実施形態において、継続時間の変化は、干渉の量に基づいて継続時間チェンジャー７５５によって開始される。例えば、継続時間チェンジャー７５５は、周囲からの干渉を測定することを含む、復調種類セレクタ４３５に関連して説明された方法のうちの任意の方法で干渉の量を測定し、比較することができる。継続時間の変化は、複合電極によって第１のトランスミッタ信号を送信することから、複合電極によって第２のトランスミッタ信号を送信することへの切り替えを引き起こす。第２のトランスミッタ信号は、第１のトランスミッタ信号の第１の周波数とは異なる第２の周波数を有する。継続時間の変化は、ディスプレイデバイスのリフレッシュレートを実質的に変更しない。「実質的に〜ない」によって意味されるのは、リフレッシュレートが、ディスプレイデバイスを見る人に対する見え方、及び任意の画像／ビデオ同期に対する最小限の影響を目に見えて変えない、枠にリフレッシュレートの小さな割合を足した範囲、又は枠からリフレッシュレートの小さな割合を引いた範囲内に維持されることである。一実施形態において、継続時間チェンジャー７５５は、結果として生じた信号が復調される時間の長さを変えるか、又は結果として生じた信号（例えば、垂直帰線消去期間中に駆動された複合電極に対応する結果として生じた信号）の復調された組の間の時間の長さを変えるように動作し得る。さまざまな実施形態において、結果として生じた信号は、一定の数の復調サイクルを維持するために異なる継続時間の間及び／又は異なる周波数に関して復調され得る。
【００９２】
[00107]一実施形態において、継続時間チェンジャー７５５は、ディスプレイデバイスのピクセル表示行（又はフレーム）の更新に関連する非表示更新期間の継続時間を増やすこと（例えば、水平帰線消去期間の長さを増やすこと、又は垂直帰線消去ラインの数を増やすこと）によって少なくとも１つの非表示更新期間の継続時間を変更する。一実施形態において、継続時間チェンジャー７５５は、ディスプレイデバイスのピクセル表示行の更新に関連する非表示更新期間の継続時間を減らすこと（例えば、水平帰線消去期間の長さを減らすこと、又は垂直帰線消去ラインの数を減らすこと）によって少なくとも１つの非表示更新期間の継続時間を変更する。一実施形態において、監視されたＬＣＤ信号（例えば、ティアイネーブル（Ｔｅａｒ  Ｅｎａｂｌｅ）（ＴＥ）水平行タイミング信号又は垂直フレームタイミング信号）が、送信のために使用される水平帰線消去期間及び垂直帰線消去期間を検出、予測、及び変更するために使用され得る。
【００９３】
[00108]ディスプレイ更新回路７６５は、第１のトランスミッタ信号及び第２のトランスミッタ信号をディスプレイデバイスを更新するための表示更新信号として使用することによって表示更新機能を実行するように動作する。例えば、第１の及び第２のトランスミッタ信号は、ディスプレイデバイスを更新するために利用されており、静電容量式センサーデバイスのトランスミッタ電極として同時に使用されている複合電極を用いて送信され得る。
一体化された静電容量式センサー及びディスプレイデバイスにおいて干渉を防止する例示的な方法
【００９４】
[00109]図８は、さまざまな実施形態による、一体化された静電容量式センサーデバイス及びディスプレイデバイスにおいて干渉を防止する例示的な方法の流れ図８００を示す。例示を目的として、流れ図８００の説明において、図７の処理システム１１０Ｂのコンポーネントに対する参照がなされる。一部の実施形態においては、流れ図８００に示された手順のすべてが実施されるわけではない。一部の実施形態において、示された手順に加えてその他の手順が実施され得る。一部の実施形態において、流れ図８００に示された手順は、図示された及び／又は説明された順序とは異なる順序で実施され得る。
【００９５】
[00110]流れ図８００の８１０において、一実施形態では、第１のトランスミッタ信号が、一体化された静電容量式センサーデバイス及びディスプレイデバイスの複合電極によって送信される。複合電極は、静電容量式感知と表示更新の両方のために構成される。第１のトランスミッタ信号は、第１の周波数を有する。一実施形態において、トランスミッタ回路４０５が、複合電極によって送信される第１のトランスミッタ信号を駆動する。
【００９６】
[00111]流れ図８００の８２０において、一実施形態では、複合電極によって第１のトランスミッタ信号を送信することから、複合電極によって第２のトランスミッタ信号を送信することへの切り替えが行われる。一実施形態において、トランスミッタ回路４０５が、第１のトランスミッタ信号を駆動する。一実施形態において、切り替えは、上述の方法で継続時間チェンジャー７５５によって行われる。切り替えは、ディスプレイデバイスの少なくとも１つの非表示更新期間の継続時間を変更すること（例えば、１つ若しくは複数の水平帰線消去期間を変えること、又は垂直帰線消去ラインの数若しくは継続時間を変えること）を含む。一実施形態において、切り替えは、複合電極の組が静電容量の変化を測定するために駆動される時間の長さを変更すること、又は複合電極の駆動される組の間の時間を変更することを含む。例えば、継続時間チェンジャー７５５が、ディスプレイデバイスの行の更新に関連する非表示更新期間（例えば、１つ若しくは複数の水平帰線消去期間又は垂直帰線消去ライン）の継続時間を増やすか又は減らすことができる。第２のトランスミッタ信号は、第１の周波数とは異なる第２の周波数を有する。一部の実施形態において、トランスミッタの変調の繰り返し周期又は変調のサイクル時間が異なるか、又はパルス幅が異なる。切り替えは、干渉の量に少なくとも部分的に基づいて発生し、ディスプレイデバイスのリフレッシュレートを実質的に変更しない。つまり、一部の実施形態において、フレームリフレッシュレートは、全く変わらないか、又はそうでなければ、ディスプレイデバイスを見る人にはっきりと認知されない何らかの小さな量だけ変わり得る。第１のトランスミッタ信号と第２のトランスミッタ信号の間で、リフレッシュレートにこれよりも大きな変更を加える可能性があるが、大きな変更は、ディスプレイデバイスを使う人／見る人、又はそのデバイスとのビデオ若しくは画像同期を用いる使う人／見る人に対してその変更が引き起こす可能性がある任意のあり得る悪い視覚的影響を防ぐために重みづけされるべきである。
【００９７】
[00112]第１の及び第２のトランスミッタ信号は、方形波、台形波、又はその他の波形などの波形である。一部の実施形態において、第１のトランスミッタ信号及び第２のトランスミッタ信号のどちらか又は両方が送信され、（１つ又は複数の）信号がトランスミッタ信号が使用されているディスプレイデバイスの行の更新に関連する非表示更新期間中に発生する２つ以上の遷移を含むように時間を決められる。
【００９８】
[00113]８３０において、一実施形態では、流れ図８００の方法は、信号周期の一部の間第１のトランスミッタ信号を使用してディスプレイデバイスを更新する手順をさらに含む。一実施形態において、例えば、ディスプレイ更新回路７６５が、第１のトランスミッタ信号と第２のトランスミッタ信号の両方をディスプレイデバイスを更新するための表示更新信号として使用することによって表示更新機能を実行するように動作する。例えば、第１の及び第２のトランスミッタ信号は、（例えば、ライン反転ディスプレイ用に）ディスプレイデバイスを更新するために利用されており、静電容量式センサーデバイスのトランスミッタ電極として同時に使用されている複合電極を用いて送信され得る。一実施形態において、第１の及び第２のトランスミッタ信号は、（例えば、ＤＣ  Ｖｃｏｍドット反転ディスプレイ用に）表示フレームの一部に関してディスプレイデバイスを更新するために利用されることができ、非表示更新時間中に送信するために利用されることができる。
【００９９】
[00114]８４０において、一実施形態では、流れ図８００の方法は、結果として生じた信号をレシーバ電極を用いて受信する手順をさらに含み、結果として生じた信号は、第１のトランスミッタ信号に対応する。一実施形態において、例えば、結果として生じた信号は、レシーバ電極によって受信され、回路４１５と通信可能なように結合されることができる。その他の実施形態において、レシーバ電極は、干渉を測定するために、結果として生じた信号をトランスミッタ信号が送信されていないときに受信することもできる。
【０１００】
[00115]８５０において、一実施形態では、複合電極とレシーバ電極の間のトランスキャパシタンスカップリングの変化の第１の測定値が、決定される。第１の測定値は、手順８４０において受信される結果として生じた信号に基づいて決定される。例えば、計算回路４４５が、（もしあれば）トランスキャパシタンスカップリングの変化の測定値を決定することができる。
【０１０１】
[00116]８６０において、一実施形態では、位置情報が決定される。この位置情報は、手順８６０の第１の測定値に基づいて決定される。例えば、計算回路４４５が、感知領域１２０に対する入力オブジェクト（もしあれば）の位置情報を決定することができる。
第３節
干渉を防止するためのディスプレイの非表示更新時間中の感知
【０１０２】
[00117]一部の実施形態において、トランスミッタ信号は、信号対雑音比及び干渉感受性を改善するために、非表示更新時間（例えば、水平帰線消去期間又は垂直帰線消去期間）中にピクセル行更新の前に２回以上遷移させられる可能性がある。その他の実施形態において、非表示更新時間は、表示ラインの行更新と行更新の間、及び／又はその他の時間に発生する可能性がある。さまざまな実施形態において、表示フレームは、プログレッシブ方式又はインターレース方式で更新され得る（例えば、第１の表示フレーム中は、表示の第１の半分又は部分が更新され、第２の表示フレーム中は、表示の第２の半分又は部分が更新され、２つの半分又は部分がインターレースされる）。一実施形態において、第１の非表示更新時間が、表示フレームの第１のピクセル行の更新に関連し、第２の非表示更新時間が、表示フレームの第２のピクセル行の更新に関連する。一実施形態において、第１の非表示更新時間が、表示フレームの第１のインターレースされた部分の更新に関連し、第２の非表示更新時間が、表示フレームの第２のインターレースされた部分に関連する。一実施形態において、同じ非表示更新時間が、フレームレート（又はフレームレートの一部）で繰り返され、非表示更新時間のあらゆる変化は、目に見える影響を最小化するために最も小さな空間的分離で行われる。
【０１０３】
[00118]図９は、さまざまな実施形態による、非表示更新時間中の遷移を伴う３つのトランスミッタ信号９１０、９２０、及び９３０を示す。図９において、トランスミッタ信号９１０は２つの遷移を有し、トランスミッタ信号９２０は３つの遷移を有し、トランスミッタ信号９３０は４つの遷移を有する。これらのトランスミッタ信号９１０、９２０、９３０のそれぞれは、表示行に関連する非表示更新時間（例えば、図９に示されるライン更新前時間又はライン更新後時間）中に遷移が発生するように時間を決められた遷移を有する。さまざまな実施形態において、トランスミッタ信号９１０、９２０、９３０は、ピーク振幅の半分（例えば、（（Ｖｃｏｍ＋）＋Ｖｃｏｍ−）／２）に等しい平均出力を有する可能性がある。平均電圧を（（Ｖｃｏｍ＋）＋Ｖｃｏｍ−）／２）付近に維持することは、表示品質に良い影響を与える可能性がある。一実施形態において、平均Ｖｃｏｍ電圧は、ＤＣ  Ｖｃｏｍ電圧である。
【０１０４】
[00119]図９は、２遷移トランスミッタ信号９１０、３遷移トランスミッタ信号９２０、及び４遷移トランスミッタ信号９３０が２つ以上の信号サンプルの対をもたらす可能性があることを示す。その他の実施形態において、その他の数の遷移が使用される可能性もある。一部の実施形態において、５つ以上の遷移が使用される可能性があり、電極の２つ以上の組がスキャンされる可能性がある。一実施形態において、２１以上の遷移が使用される可能性がある。奇数個の遷移を有するトランスミッタ信号（例えば、９２０）は、ディスプレイがライン反転を使用してスキャンされる（例えば、Ｖｃｏｍ電圧が、ピクセル表示行をスキャンするときに２つの電圧の間を交互に変わる）ときに（概して）使用される。２、４、６、又はそれを超える遷移などの偶数個の遷移を有するトランスミッタ信号（例えば、９１０、９３０）は、ディスプレイがドット反転を使用してスキャンされる（例えば、Ｖｃｏｍ電圧が、ピクセル表示行をスキャンするときに一定の電圧に戻る）ときに（概して）使用される。正のサンプルと負のサンプルの両方が、単一の遷移しか存在しないときでさえも復調され得るか、又はより少ないサンプル（例えば、反対の若しくは同じ極性の２つのサンプルのみ）が、より多くの（例えば、３つ若しくは４つの）遷移が発生し、すべての遷移の振幅が同じである必要はないときでさえも使用され得る。二重サンプリングが、上述のように重なり合わない感受性の曲線を可能にする。別の実施形態において、継続時間の変化が、表示フレームの２つ以上の非表示更新中の遷移の継続時間を変える可能性がある。そのような実施形態において、復調される遷移の数は、異なる感知周波数で一定に維持されることができる。
【０１０５】
[00120]一実施形態において、有効な遷移の最大数が、複合電極の整定時間に対応する。さらに、その他の実施形態において、ピクセルを更新するための時間の最大量が、複合電極の整定時間にやはり対応する。その他の実施形態において、複合電極の整定時間が改善される（例えば、短縮される）とき、遷移の数及び／又は非表示更新時間の量は、増やされ得る。一実施形態において、複合電極の整定時間は、各複合電極を、複合電極の長さに沿った１つ又は複数の位置の１つ又は複数の低インピーダンスドライバに結合することによって改善され得る。さらに、その他の実施形態において、レシーバ電極の整定時間が、処理システム１１０を各レシーバ電極の長さに沿った２つ以上の位置で結合すること、各レシーバ電極の厚さ及び／若しくは幅を増やすこと、さらなる低抵抗材料を使用すること、又は各レシーバ電極の抵抗若しくは静電容量を減らすための任意のその他の手段を使用することによって改善され得る。
第３の例示的な処理システム
【０１０６】
[00121]図１０は、さまざまな実施形態による、入力デバイス（例えば、入力デバイス１００）で利用され得る第３の例示的な処理システム１１０Ｃを示す。処理システム１１０Ｃは、１つ若しくは複数のＡＳＩＣ、１つ若しくは複数のＩＣ、１つ若しくは複数のコントローラ、又はこれらの何らかの組み合わせで実装され得る。一実施形態において、処理システム１１０Ｃは、入力デバイス１００の感知領域１２０の複数の複合電極及び複数のレシーバ電極と通信可能なように結合される。入力デバイス１００の一実施形態において、処理システム１１０Ｃは、トランスミッタ回路４０５と、レシーバ回路４１５とを含む。一部の実施形態は、復調回路４２５、復調種類セレクタ４３５、計算回路４４５、継続時間チェンジャー７５５、及び／又は表示更新回路７６５のうちの１つ又は複数をさらに含む。
【０１０７】
[00122]処理システム１１０Ｃ、及びその処理システム１１０Ｃが一部である入力デバイス１００が、ディスプレイデバイス（例えば、ディスプレイデバイス６００）などの電子システム１５０に配置される、及び／又は電子システム１５０と通信可能なように結合される。１つのそのような一体化された実施形態において、複合電極が、（例えば、ディスプレイデバイスのディスプレイと一体化されるタッチ感知デバイスのための）表示更新機能と静電容量式感知機能の両方をサポートするために利用される。したがって、トランスミッタ回路４０５によってこれらの複合電極で駆動されるトランスミッタ信号は、表示更新及びタッチ感知の両方の目的で働く。図１Ｂのセンサーパターン（複合電極１６０及びレシーバ電極１７０）をディスプレイデバイスの表示ピクセルラインで覆い、それらの表示ピクセルラインと一体化することは、そのような実施形態の一例である。
【０１０８】
[00123]トランスミッタ回路４０５は、一体化された静電容量式センサーデバイス及びディスプレイデバイスの複合電極によって送信されるトランスミッタ信号を駆動するように動作する。トランスミッタ信号は、表示更新期間中と、さらにディスプレイデバイスの行更新に関連する非表示更新期間中との両方で、低インピーダンストランスミッタを用いて送信される。一実施形態において、例えば、トランスミッタ回路４０５は、図９のトランスミッタ信号９２０などのトランスミッタ信号を駆動し、トランスミッタ信号は、ディスプレイデバイスの行更新に関連する非表示更新期間中に（例えば、表示行の後の水平帰線消去期間中に、又はフレームで更新される最後の表示行の後の垂直帰線消去期間中に）少なくとも２回遷移する。一実施形態において、トランスミッタ回路４０５は、複数の複合電極（例えば、複数のピクセル行）で同時に送信するように構成される。
【０１０９】
[00124]レシーバ回路４１５は、結果として生じた信号を、非表示更新期間中に（例えば、遷移が行われているときの水平帰線消去期間中に）レシーバ電極を用いて受信するように動作する。結果として生じた信号は、上述のようにトランスミッタ信号に対応するが、送信されたトランスミッタ信号の一部又はすべての内容に加えて干渉（雑音）又はその他の入力を含む可能性がある。一実施形態において、送信されたトランスミッタ信号は、２つ以上の表示行更新に関連する可能性がある。一実施形態において、一連の２０の行更新が、２０個の複合電極の同じ組が同様の変調で駆動される間に発生する。
【０１１０】
[00125]一実施形態において、処理システム１１０Ｃは、複合電極（又は複合電極の組）とレシーバ電極の間のトランスキャパシタンスカップリングの第１の測定値が結果として生じた信号に対応すると判定し、トランスキャパシタンスカップリングのこの第１の測定値を、感知領域１２０に対する入力オブジェクト（もしあれば）の位置情報を決定するのに使用する。一実施形態において、これらの機能は、処理システム１１０Ｃに含まれる場合には計算回路４４５によって実行される。
【０１１１】
[00126]一実施形態において、処理システム１１０Ｃは、一体化された静電容量式センサー及びディスプレイデバイスのディスプレイデバイス部分のための表示更新信号を送信する。表示更新信号は、複合電極に結合されたピクセル更新電極を用いて送信される。一実施形態において、この機能は、処理システム１１０Ｃに含まれる場合には表示更新回路７６５によって実行される。一実施形態においては、同期パルスが、別個の静電容量式感知デバイスと別個のディスプレイデバイスの間で伝達される。一実施形態において、同期された信号は、表示フレームの位相に基づく。さまざまな実施形態において、同期された信号は、更新されている表示ピクセル行、フレーム周期、又はフレーム周期の倍数に基づく。一実施形態において、クロック周波数が、静電容量式感知デバイスとディスプレイデバイスの間で共有され得る。クロック周波数は、ピクセルクロック又は分割されたピクセルクロックを含み得る。
【０１１２】
[00127]一実施形態において、処理システム１１０Ｃは、図４及び処理システム１１０Ａに関連して既に説明されたように、結果として生じた信号を第１の手法で復調することによって第１の復調された出力を取得し、結果として生じた信号を、結果として生じた信号を復調する第１の手法とは異なる第２の手法で復調することによって第２の復調された出力を取得することができる復調回路４２５を含む。
【０１１３】
[00128]一実施形態において、処理システム１１０Ｃは、図４及び処理システム１１０Ａに関連して既に説明されたように、位置情報を決定するために第１の復調された出力を使用することから、位置情報を決定するために第２の復調された出力を使用することへ復調回路を切り替えることができる復調種類セレクタ４３５を含む。切り替えは、１つ又は複数の復調された出力中に処理システム１１０Ｃによって検出される干渉の量に少なくとも部分的に基づく可能性がある。
【０１１４】
[00129]一実施形態において、処理システム１１０Ｃは、図７及び処理システム１１０Ｂに関連して既に説明されたように、ディスプレイデバイスの少なくとも１つの非表示更新期間の継続時間を変更することができる継続時間チェンジャー７５５を含む。これは、水平帰線消去期間、又は垂直帰線消去ラインの期間のうちの１つ又は複数の変化である可能性がある。一実施形態において、継続時間の変化は、干渉の量に基づいて継続時間チェンジャー７５５によって開始される。別の実施形態において、継続時間の変化は、（例えば、静電容量式感知処理システムとディスプレイドライバの間の）同期信号によって開始される。例えば、継続時間チェンジャー７５５は、周囲からの干渉の測定を含む、復調種類セレクタ４３５に関連して説明された方法のうちの任意の方法で干渉の量を測定し、比較することができる。継続時間の変化は、複合電極によって第１のトランスミッタ信号を送信することから、複合電極によって第２のトランスミッタ信号を送信することへの切り替えを引き起こす。第２のトランスミッタ信号は、第１のトランスミッタ信号の第１の周波数とは異なる第２の周波数を有する。継続時間の変化は、ディスプレイデバイスのリフレッシュレートを実質的に変更しない。「実質的に〜ない」によって意味されるのは、一実施形態においては、リフレッシュレートが、プラス１ヘルツ又はマイナス１ヘルツの枠内に維持されることである。この枠は、プラス０．５ヘルツ若しくはマイナス０．５ヘルツのようにより小さいか、又はプラス３ヘルツ若しくはマイナス３ヘルツのようにより大きい可能性がある。さまざまな実施形態において、表示フレームリフレッシュレートは、表示画像又は表示ビデオソースを用いて制御され、それらのソースと同期される可能性がある。１つのそのような実施形態において、これは、フレームごとにフレーム内の異なる非表示更新時間の継続時間を変更する可能性がある。
一体化された静電容量式センサーデバイス及びディスプレイデバイスを用いた感知の例示的な方法
【０１１５】
[00130]図１１Ａ〜１１Ｃは、さまざまな実施形態による、一体化された静電容量式センサーデバイス及びディスプレイデバイスを用いた静電容量式感知の例示的な方法の流れ図１１００を示す。例示を目的として、流れ図１１００の説明において、図１０の処理システム１１０Ｃのコンポーネントに対する参照がなされる。一部の実施形態においては、流れ図１１００に示された手順のすべてが実施されるわけではない。一部の実施形態において、示された手順に加えてその他の手順が実施され得る。一部の実施形態において、流れ図１１００に示された手順は、図示された及び／又は説明された順序とは異なる順序で実施され得る。
【０１１６】
[00131]流れ図１１００の１１１０において、一実施形態では、第１のトランスミッタ信号が、一体化された静電容量式センサーデバイス及びディスプレイデバイスの複合電極によって送信される。複合電極は、静電容量式感知と表示更新の両方のために構成される。第１のトランスミッタ信号は、第１の周波数を有し、ディスプレイデバイスの行更新に関連する非表示更新期間中に少なくとも２つの異なる信号電圧に少なくとも２回遷移する（例えば、図９のトランスミッタ信号９１０、９２０、及び９３０参照）。一実施形態において、トランスミッタ回路４０５が、複合電極によって送信される第１のトランスミッタ信号を駆動する。第１のトランスミッタ信号は、フレーム時間の一部の間、一体化された静電容量式センサーデバイス及びディスプレイデバイスのディスプレイ部分を更新するための表示更新信号として働くことができる。一実施形態において、トランスミッタ回路４０５は、非表示更新時間中に、第２の行に関連する第２の送信されるトランスミッタ信号を駆動する。
【０１１７】
[00132]流れ図１１００の１１２０において、一実施形態では、ディスプレイデバイスの表示のピクセルが、更新期間中に更新される。一実施形態において、表示更新回路７６５が、トランスミッタ信号がピクセル更新時間（例えば、図６のピクセル更新時間６４０参照）中に送信されている間にこの更新を実行する。
【０１１８】
[00133]流れ図１１００の１１３０において、一実施形態では、結果として生じた信号が、非表示更新期間中に、一体化された静電容量式センサーデバイス及びディスプレイデバイスのレシーバ電極によって受信される。上述のように、結果として生じた信号は、第１のトランスミッタ信号に対応する。一実施形態において、結果として生じた信号は、本明細書において既に説明された方法のうちの任意の方法でレシーバ回路４１５によって受信される。
【０１１９】
[00134]１１４０において、一実施形態では、流れ図１１００の方法は、結果として生じた信号に基づいて、複合電極（又は複合電極の組）とレシーバ電極の間のトランスキャパシタンスカップリングの変化の第１の測定値を決定する手順をさらに含む。一実施形態において、計算回路４５５が、トランスキャパシタンスカップリングの変化のこの第１の測定値を決定する。
【０１２０】
[00135]流れ図１１００の１１５０において、一実施形態では、方法は、１１４０で決定されたトランスキャパシタンスカップリングの変化の第１の測定値に基づいて、感知領域に対する入力オブジェクトの位置情報（もしあれば）を決定する。一実施形態において、この位置情報決定機能は、計算回路４５５によってやはり実行される。
【０１２１】
[00136]５３０において、一実施形態では、流れ図１１００の方法は、結果として生じた信号を第１の手法で復調することによって第１の復調された出力を取得する手順をさらに含む。一実施形態において、復調回路４２５が、結果として生じた信号を、その復調回路４２５が復調することができる複数の異なる手法のうちの第１の手法で復調することによってこの第１の復調された出力を取得する。
【０１２２】
[00137]流れ図１１００の５４０において、一実施形態では、第２の復調された出力が、結果として生じた信号を第２の手法で復調することによって取得され、第２の手法と第１の手法とは互いに異なる。一実施形態において、復調回路４２５が、結果として生じた信号を、その復調回路４２５が復調することができる複数の異なる手法のうちの第２の手法で復調することによってこの第２の復調された出力を取得する。復調の第１の手法及び第２の手法は異なる可能性があり、その理由は、第２の手法では第１の手法とは異なるようにサンプルが重みづけされるため、第２の手法では第１の手法とは異なる位相でサンプルがサンプリングされるため、第２の手法では第１の手法とは異なる数のサンプルが使用されるため、及び／又は第２の手法が第１の手法とは異なる１つ若しくは複数のサンプル間時間間隔を利用するためであることが理解される。
【０１２３】
[00138]流れ図１１００の５５０において、一実施形態では、方法は、位置情報を決定するために第１の復調された出力を使用することから、位置情報を決定するために第２の復調された出力を使用することへ切り替える。切り替えは、干渉の量に少なくとも部分的に基づく。一実施形態において、復調種類セレクタ４３５が、いつ、どの種類の復調に切り替えるべきかを決定する。一実施形態において、干渉の量は、第１の復調された出力の干渉の測定値に基づく。一実施形態において、干渉の量は、第２の復調された出力の干渉の測定値に基づく。量は、互いに、又は所定の尺度と比較され得る。一実施形態において、干渉の量は、トランスミッタ信号がトランスミッタ回路４０５によって送信されていない時間の間の周囲／環境からの（非センサー）干渉の測定値である。例えば、レシーバ回路４１５が、トランスミッタ信号がトランスミッタ回路４０５によってどの複合電極を使っても送信されていない期間中に、レシーバ電極から第２の結果として生じた信号を受信する。一実施形態において、復調回路４２５が、この第２の結果として生じた信号を第１の手法及び第２の手法のうちの１つで復調し、第３の復調された出力に存在する干渉の量を判定することによってこの第３の復調された出力を取得する。次に、第３の復調された出力からのこの干渉の量が、使用するために複数の異なる種類の復調（例えば、第１の種類、第２の種類など）の中から選択をするための根拠として使用される。
【０１２４】
[00139]８２０において、一実施形態では、流れ図１１００の方法は、複合電極によって第１のトランスミッタ信号を送信することから、複合電極によって第２のトランスミッタ信号を送信することへ切り替える手順をさらに含む。一実施形態において、トランスミッタ回路４０５が、第１のトランスミッタ信号を駆動する。一実施形態において、切り替えは、上述の方法で継続時間チェンジャー７５５によって行われる。切り替えは、ディスプレイデバイスの少なくとも１つの非表示更新期間の継続時間を変更すること（例えば、１つ若しくは複数の水平帰線消去期間を変えること、若しくは垂直帰線消去ラインの数を変えること）、又は非表示更新時間中の１つのトランスミッタの継続時間（例えば、複合電極で送信する時間、若しくは送信と送信の間の時間）を変更すること含む。例えば、継続時間チェンジャー７５５が、ディスプレイデバイスの行の更新に関連する非表示更新期間（例えば、１つ又は複数の水平帰線消去期間）の継続時間を増やすか又は減らすことができる。第２のトランスミッタ信号は、第１の周波数とは異なる第２の周波数を有する。切り替えは、干渉の量に少なくとも部分的に基づいて発生し、ディスプレイデバイスのリフレッシュレートを実質的に変更しない。つまり、一部の実施形態において、リフレッシュレートは、全く変わらないか、又はそうでなければ、ディスプレイデバイスを見る人にはっきりと認知されない何らかの小さな割合だけ変わり得る。一例において、リフレッシュレートは、１Ｈｚ未満の何らかの量だけ変わり得る。第２のトランスミッタ信号によってリフレッシュレートにこれよりも大きな変更を加える可能性があるが、そのような変更は、ディスプレイデバイスを使う人／見る人に対してその変更が引き起こす可能性がある任意の悪い視覚的影響を防ぐために重みづけされるべきである。別の実施形態においては、第１の複合電極でトランスミッタ信号を送信する継続時間が、変更される。さらなる実施形態においては、第２の複合電極でトランスミッタ信号を送信する継続時間が、変更される。さらに別の実施形態においては、第１の複合電極及び第２の複合電極が、同時に変調される。
【０１２５】
[00140]第１の及び第２のトランスミッタ信号は、方形波、台形波、又はその他の波形などの波形である。一部の実施形態において、第１のトランスミッタ信号及び第２のトランスミッタ信号のどちらか又は両方が送信され、（１つ又は複数の）信号がトランスミッタ信号が使用されているディスプレイデバイスの第１の部分（例えば、第１のピクセル行又は行の組）の更新に関連する非表示更新期間中に発生する２つ以上の遷移を含むように時間を決められる。一部の実施形態において、第１のトランスミッタ信号及び第２のトランスミッタ信号は、トランスミッタ信号が使用されているディスプレイデバイスの第２の部分（例えば、第２のピクセル行又は行の組）の更新に関連する。
【０１２６】
[00141]一実施形態において、流れ図１１００の方法は、第１のトランスミッタ信号を使用してディスプレイデバイスを更新することをさらに含む。一実施形態において、例えば、ディスプレイ更新回路７６５が、第１のトランスミッタ信号及び第２の電気信号をディスプレイデバイスを更新するための表示更新信号として使用することによって表示更新機能を実行するように動作する。例えば、第１の及び第２のトランスミッタ信号は、ディスプレイデバイスを更新するために利用されており、静電容量式センサーデバイスのトランスミッタ電極として同時に使用されている複合電極を用いて送信され得る。
【０１２７】
[00142]したがって、本明細書において説明された実施形態及び例は、本発明及び本発明の特定の応用を最もうまく説明するため、及びそれによって当業者が本発明を実施し、使用することを可能にするために示された。しかし、当業者は、上述の説明及び例が、説明及び例示のみを目的として示されたことを認めるであろう。示された説明は、網羅的であるように、又は本発明を開示された形態に厳密に限定するように意図されていない。
【０１２８】
[00143]好ましくは、本明細書において説明されたすべての要素、部分、及びステップが含まれる。当業者に明らかであろうように、これらの要素、部分、及びステップのうちの任意のものが、その他の要素、部分、及びステップによって置き換えられるか、又は完全に削除され得ることを理解されたい。
【０１２９】
[00144]概して、本明細書は、静電容量式センサーデバイスのための干渉を防止する方法において、トランスミッタ信号が、静電容量式センサーデバイスのトランスミッタ電極によって送信されることを開示する。結果として生じた信号が、静電容量式センサーデバイスのレシーバ電極によって受信される。結果として生じた信号は、トランスミッタ信号に対応する。第１の復調された出力が、結果として生じた信号を第１の手法で復調することによって取得される。第２の復調された出力が、結果として生じた信号を第１の手法と異なる第２の手法で復調することによって取得される。位置情報を決定するために第１の復調された出力を使用することから、位置情報を決定するために第２の復調された出力を使用することへの切り替えが行われる。切り替えは、干渉の量に少なくとも部分的に基づく。
【０１３０】
概念
[00145]本明細書は、少なくとも以下の概念を開示した。
概念１．
静電容量式センサーデバイスのための干渉を防止する方法であって、
前記静電容量式センサーデバイスのトランスミッタ電極によってトランスミッタ信号を送信するステップと、
前記トランスミッタ信号に対応する結果として生じた信号を前記静電容量式センサーデバイスのレシーバ電極によって受信するステップと、
前記結果として生じた信号を第１の手法で復調するサブステップによって第１の復調された出力を取得するステップと、
前記結果として生じた信号を前記第１の手法と異なる第２の手法で復調するサブステップによって第２の復調された出力を取得するステップと、
干渉の量に少なくとも部分的に基づいて、位置情報を決定するために前記第１の復調された出力を使用することから、位置情報を決定するために前記第２の復調された出力を使用することへ切り替えるステップとを含む、方法。
概念２．
前記干渉の量が第１の量未満であるとき、前記第１の復調された出力に基づいて前記トランスミッタ電極と前記レシーバ電極の間のトランスキャパシタンスカップリングの変化の測定値を決定するステップと、
前記位置情報の決定に前記測定値を使用するステップとをさらに含む概念１に記載の方法。
概念３．
前記干渉の量が第１の量を超えるとき、前記第２の復調された出力に基づいて前記トランスミッタ電極と前記レシーバ電極の間のトランスキャパシタンスカップリングの変化の測定値を決定するステップと、
前記位置情報の決定に前記測定値を使用するステップとをさらに含む概念１に記載の方法。
概念４．
トランスミッタ電極によってトランスミッタ信号を送信する前記ステップが、
前記トランスミッタ信号がディスプレイデバイスの行の更新に関連する非表示更新期間中に発生する少なくとも２つの遷移を含むように前記トランスミッタ信号を送信するサブステップであり、前記ディスプレイデバイスが前記静電容量式センサーデバイスの感知領域に少なくとも部分的に重なる、サブステップを含む概念１に記載の方法。
概念５．
前記結果として生じた信号を第２の手法で復調する前記サブステップが、
前記第１の手法とは異なるようにサンプルを重みづけすることを含む概念１に記載の方法。
概念６．
前記結果として生じた信号を第２の手法で復調する前記サブステップが、
前記第１の手法とは異なる位相でサンプリングすることを含む概念１に記載の方法。
概念７．
前記結果として生じた信号を第２の手法で復調する前記サブステップが、
前記第１の手法とは異なる数のサンプルを利用することを含む概念１に記載の方法。
概念８．
前記結果として生じた信号を第２の手法で復調する前記サブステップが、
前記第１の手法とは異なるサンプル間時間間隔を利用することを含む概念１に記載の方法。
概念９．
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、前記第１の復調された出力の測定値に基づく、サブステップを含む概念１に記載の方法。
概念１０．
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、前記第２の復調された出力の測定値に基づく、サブステップを含む概念１に記載の方法。
概念１１．
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、第３の復調された出力の測定値に基づき、前記第３の復調された出力が、第２の結果として生じた信号を前記第１の手法及び前記第２の手法のうちの１つで復調することによって取得され、前記第２の結果として生じた信号が、トランスミッタ信号が前記トランスミッタ電極によって送信されていない期間中に前記レシーバ電極によって受信される、サブステップを含む概念１に記載の方法。
概念１２．
静電容量式センサーデバイス及びディスプレイデバイスと通信可能なように結合された処理システムであって、
前記静電容量式センサーデバイスのトランスミッタ電極によってトランスミッタ信号を送信するように構成されたトランスミッタ回路と、
前記トランスミッタ信号に対応する結果として生じた信号を前記静電容量式センサーデバイスのレシーバ電極によって受信するように構成されたレシーバ回路と、
復調回路であり、
前記結果として生じた信号を第１の手法で復調することによって第１の復調された出力を取得し、
前記結果として生じた信号を前記第１の手法と異なる第２の手法で復調することによって第２の復調された出力を取得するように構成された、復調回路と、
干渉の量に少なくとも部分的に基づいて、位置情報を決定するために前記第１の復調された出力を使用することから、位置情報を決定するために前記第２の復調された出力を使用することへ前記復調回路を切り替えるように構成された復調種類セレクタとを備える、処理システム。
概念１３．
前記干渉の量が第１の量を超えないとき、前記第１の復調された出力に基づいて前記トランスミッタ電極と前記レシーバ電極の間のトランスキャパシタンスカップリングの変化の測定値を決定し、
前記位置情報の決定に前記測定値を利用するように構成された計算回路をさらに備える概念１２に記載の処理システム。
概念１４．
前記干渉の量が第１の量を超えるとき、前記第２の復調された出力に基づいて前記トランスミッタ電極と前記レシーバ電極の間のトランスキャパシタンスカップリングの変化の測定値を決定し、
前記位置情報の決定に前記測定値を利用するように構成された計算回路をさらに備える概念１２に記載の処理システム。
概念１５．
前記結果として生じた信号を第２の手法で復調することによって第２の復調された出力を取得するように構成された前記復調回路が、
前記第１の手法とは異なるようにサンプルを重みづけするように構成されている前記復調回路を備える概念１２に記載の処理システム。
概念１６．
前記結果として生じた信号を第２の手法で復調することによって第２の復調された出力を取得するように構成された前記復調回路が、
前記第１の手法とは異なる位相でサンプリングするように構成されている前記復調回路を備える概念１２に記載の処理システム。
概念１７．
前記結果として生じた信号を第２の手法で復調することによって第２の復調された出力を取得するように構成された前記復調回路が、
前記第１の手法とは異なる数のサンプルを利用するように構成されている前記復調回路を備える概念１２に記載の処理システム。
概念１８．
前記結果として生じた信号を第２の手法で復調することによって第２の復調された出力を取得するように構成された前記復調回路が、
前記第１の手法とは異なるサンプル間時間間隔を利用するように構成されている前記復調回路を備える概念１２に記載の処理システム。
概念１９．
表示更新とタッチ感知の両方のために構成された複合電極を備えるディスプレイデバイスと、
静電容量式感知デバイスのレシーバ電極であり、前記複合電極の近くに配置され、タッチ感知のために構成された、レシーバ電極と、
前記複合電極及び前記レシーバ電極と通信可能なように結合された処理システムであり、
前記複合電極によってトランスミッタ信号を送信し、
前記トランスミッタ信号に対応する結果として生じた信号を前記静電容量式センサーデバイスのレシーバ電極によって受信し、
前記結果として生じた信号を第１の手法で復調することによって第１の復調された出力を取得し、
前記結果として生じた信号を前記第１の手法と異なる第２の手法で復調することによって第２の復調された出力を取得し、
干渉の量に少なくとも部分的に基づいて、位置情報を決定するために前記第１の復調された出力を使用することから、位置情報を決定するために前記第２の復調された出力を使用することへ切り替えるように構成された、処理システムとを備える入力デバイス。
概念２０．
前記処理システムが、
前記干渉の量が第１の量を超えないとき、前記第１の復調された出力に基づいて前記複合電極と前記レシーバ電極の間のトランスキャパシタンスカップリングの変化の第１の測定値を決定し、
前記干渉の量が第１の量を超えるとき、前記第２の復調された出力に基づいて前記複合電極と前記レシーバ電極の間のトランスキャパシタンスカップリングの変化の第２の測定値を決定し、
前記位置情報の決定に前記第１の測定値及び前記第２の測定値のうちの１つを利用するようにさらに構成される概念１９に記載の入力デバイス。
概念２１．
一体化された静電容量式センサーデバイス及びディスプレイデバイスにおいて干渉を防止する方法であって、
前記一体化された静電容量式センサーデバイス及びディスプレイデバイスの複合電極によって第１の周波数を有する第１のトランスミッタ信号を送信するステップであり、前記複合電極が、静電容量式感知と表示更新の両方のために構成される、ステップと、
前記ディスプレイデバイスの少なくとも１つの非表示更新期間の継続時間を変えるサブステップにより、前記複合電極によって前記第１のトランスミッタ信号を送信することから、前記複合電極によって第２のトランスミッタ信号を送信することへ切り替えるステップであり、前記第２のトランスミッタ信号が、第２の周波数を有し、切り替える前記ステップが、干渉の量に少なくとも部分的に基づいて発生する、ステップとを含む、方法。
概念２２．
前記第１のトランスミッタ信号を用いて前記ディスプレイデバイスを更新するステップをさらに含む概念２１に記載の方法。
概念２３．
前記第１のトランスミッタ信号に対応する結果として生じた信号をレシーバ電極によって受信するステップと、
前記結果として生じた信号に基づいて、前記複合電極と前記レシーバ電極の間のトランスキャパシタンスカップリングの変化の第１の測定値を決定するステップと、
前記第１の測定値に基づいて位置情報を決定するステップとをさらに含む概念２１に記載の方法。
概念２４．
少なくとも１つの非表示更新期間の継続時間を変える前記サブステップが、
前記ディスプレイデバイスの行の更新に関連する非表示更新期間の継続時間を増やすことを含む概念２１に記載の方法。
概念２５．
少なくとも１つの非表示更新期間の継続時間を変える前記サブステップが、
前記ディスプレイデバイスの行の更新に関連する非表示更新期間の継続時間を減らすことを含む概念２１に記載の方法。
概念２６．
前記複合電極によって前記第１のトランスミッタ信号を送信することから、前記複合電極によって第２のトランスミッタ信号を送信することへ切り替える前記ステップが、前記ディスプレイデバイスのリフレッシュレートを変更しない概念２１に記載の方法。
概念２７．
前記第１のトランスミッタ信号が、前記ディスプレイデバイスの行の更新に関連する非表示更新期間中に発生する少なくとも２つの遷移を含む概念２１に記載の方法。
概念２８．
静電容量式センサーデバイス及びディスプレイデバイスと通信可能なように結合された処理システムであって、
複合電極を用いて第１の周波数を有する第１のトランスミッタ信号を送信するように構成されたトランスミッタ回路であり、前記複合電極が、表示更新とタッチ感知の両方のために構成される、トランスミッタ回路と、
前記第１のトランスミッタ信号に対応する結果として生じた信号を前記静電容量式センサーデバイスのレシーバ電極を用いて受信するように構成されたレシーバ回路と、
前記ディスプレイデバイスの少なくとも１つの非表示更新期間の継続時間を変更するように構成された継続時間チェンジャーであり、継続時間の前記変更が、前記複合電極によって前記第１のトランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、継続時間チェンジャーとを備える、処理システム。
概念２９．
前記複合電極を用いて前記ディスプレイデバイスの表示更新機能を実行するように構成された表示更新回路をさらに備える概念２８に記載の処理システム。
概念３０．
前記表示更新回路が、前記第１のトランスミッタ信号を前記ディスプレイデバイスを更新するための表示更新信号として使用することによって前記表示更新機能を実行するように構成される概念２９に記載の処理システム。
概念３１．
前記継続時間チェンジャーが、前記ディスプレイデバイスの行の更新に関連する非表示更新期間の継続時間を増やすことによって前記少なくとも１つの非表示更新期間の前記継続時間を変更するように構成される概念２８に記載の処理システム。
概念３２．
前記継続時間チェンジャーが、前記ディスプレイデバイスの行の更新に関連する非表示更新期間の継続時間を減らすことによって前記少なくとも１つの非表示更新期間の前記継続時間を変更するように構成される概念２８に記載の処理システム。
概念３３．
前記第１のトランスミッタ信号が、前記ディスプレイデバイスの行の更新に関連する少なくとも１つの非表示更新期間中に発生する少なくとも２つの遷移を含む概念２８に記載の処理システム。
概念３４．
前記結果として生じた信号に基づいて、前記複合電極と前記レシーバ電極の間のトランスキャパシタンスカップリングの変化の第１の測定値を決定し、
前記第１の測定値に基づいて位置情報を決定するように構成される概念２８に記載の処理システム。
概念３５．
表示更新とタッチ感知の両方のために構成された複合電極を備えるディスプレイデバイスと、
前記複合電極の近くのレシーバ電極であり、タッチ感知のために構成された、レシーバ電極と、
前記複合電極及び前記レシーバ電極と通信可能なように結合された処理システムであり、
前記複合電極を用いて第１の周波数を有する第１のトランスミッタ信号を送信し、
前記第１のトランスミッタ信号に対応する結果として生じた信号を前記レシーバ電極を用いて受信し、
前記ディスプレイデバイスの少なくとも１つの非表示更新期間の継続時間を変更するように構成され、継続時間の前記変更が、前記複合電極によって前記第１のトランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、処理システムとを備えるタッチスクリーンデバイス。
概念３６．
前記処理システムが、前記複合電極を用いて前記ディスプレイデバイスの表示更新機能を実行するように構成される概念３５に記載のタッチスクリーンデバイス。
概念３７．
前記処理システムが、前記第１のトランスミッタ信号を前記ディスプレイデバイスを更新するための表示更新信号として使用することによって、前記複合電極を用いて前記ディスプレイデバイスの前記表示更新機能を実行するように構成される概念３６に記載のタッチスクリーンデバイス。
概念３８．
前記処理システムが、前記ディスプレイデバイスの行の更新に関連する非表示更新期間の継続時間を増やすことによって前記少なくとも１つの非表示更新期間の前記継続時間を変更するように構成される概念３５に記載のタッチスクリーンデバイス。
概念３９．
前記処理システムが、前記ディスプレイデバイスの行の更新に関連する非表示更新期間の継続時間を減らすことによって前記少なくとも１つの非表示更新期間の前記継続時間を変更するように構成される概念３５に記載のタッチスクリーンデバイス。
概念４０．
前記トランスミッタ信号が、前記ディスプレイデバイスの行の更新に関連する少なくとも１つの非表示更新期間中に発生する少なくとも２つの遷移を含む概念３５に記載のタッチスクリーンデバイス。
概念４１．
一体化された静電容量式センサーデバイス及びディスプレイデバイスを用いた静電容量式感知の方法であって、
前記一体化された静電容量式センサーデバイス及びディスプレイデバイスの複合電極によってトランスミッタ信号を送信するステップであり、前記複合電極が、静電容量式感知と表示更新の両方のために構成され、前記トランスミッタ信号が、前記ディスプレイデバイスの行更新に関連する非表示更新期間中に少なくとも２回遷移する、ステップと、
更新期間中に前記ディスプレイデバイスの表示を更新するステップと、
前記トランスミッタ信号に対応する結果として生じた信号を、前記非表示更新期間中に前記一体化された静電容量式センサーデバイス及びディスプレイデバイスのレシーバ電極によって受信するステップとを含む、方法。
概念４２．
前記結果として生じた信号に基づいて、前記複合電極と前記レシーバ電極の間のトランスキャパシタンスカップリングの変化の第１の測定値を決定するステップと、
前記第１の測定値に基づいて位置情報を決定するステップとをさらに含む概念４１に記載の方法。
概念４３．
前記結果として生じた信号を第１の手法で復調するサブステップによって第１の復調された出力を取得するステップと、
前記結果として生じた信号を前記第１の手法と異なる第２の手法で復調するサブステップによって第２の復調された出力を取得するステップと、
干渉の量に少なくとも部分的に基づいて、位置情報を決定するために前記第１の復調された出力を使用することから、位置情報を決定するために前記第２の復調された出力を使用することへ切り替えるステップとをさらに含む概念４１に記載の方法。
概念４４．
前記干渉の量が第１の量を超えないとき、前記第１の復調された出力に基づいて前記複合電極と前記レシーバ電極の間のトランスキャパシタンスカップリングの変化の測定値を決定するステップと、
前記位置情報の決定に前記測定値を使用するステップとをさらに含む概念４３に記載の方法。
概念４５．
前記干渉の量が第１の量を超えるとき、前記第２の復調された出力に基づいて前記複合電極と前記レシーバ電極の間のトランスキャパシタンスカップリングの変化の測定値を決定するステップと、
前記位置情報の決定に前記測定値を使用するステップとをさらに含む概念４３に記載の方法。
概念４６．
位置情報を決定するために前記第１の復調された出力を使用することから、位置情報を決定するために前記第２の復調された出力を使用することへ切り替える前記ステップが、
前記干渉の量に少なくとも部分的に基づいて前記第１の復調された出力を使用することから、前記第２の復調された出力を使用することへ切り替えるサブステップであり、前記干渉の量が、第３の復調された出力の測定値に基づき、前記第３の復調された出力が、第２の結果として生じた信号を前記第１の手法及び前記第２の手法のうちの１つで復調することによって取得され、前記第２の結果として生じた信号が、トランスミッタ信号が前記複合電極によって送信されていない期間中に前記レシーバ電極によって受信される、サブステップを含む概念４３に記載の方法。
概念４７．
前記トランスミッタ信号が第１の周波数を有し、前記方法が、
前記ディスプレイデバイスの少なくとも１つの非表示更新期間の継続時間を変えるサブステップにより、前記第１の周波数を有する前記トランスミッタ信号を送信することから、第２の周波数を有する第２のトランスミッタ信号を送信することへ切り替えるステップであり、干渉の量に少なくとも部分的に基づいて発生する、ステップをさらに含む概念４１に記載の方法。
概念４８．
少なくとも１つの非表示更新期間の継続時間を変える前記サブステップが、
前記ディスプレイデバイスの行更新に関連する前記非表示更新期間の継続時間を増やすことを含む概念４７に記載の方法。
概念４９．
少なくとも１つの非表示更新期間の継続時間を変える前記サブステップが、
前記ディスプレイデバイスの行更新に関連する前記非表示更新期間の継続時間を減らすことを含む概念４７に記載の方法。
概念５０．
トランスミッタ信号を送信する前記ステップが、
前記トランスミッタ信号を、前記一体化された静電容量式センサーデバイス及びディスプレイデバイスの前記ディスプレイデバイスを更新するための表示更新信号として送信するサブステップを含む概念４１に記載の方法。
概念５１．
ディスプレイデバイスの行更新に関連する非表示更新期間中に一体化された静電容量式センサーデバイス及び前記ディスプレイデバイスの複合電極によってトランスミッタ信号を送信するように構成されたトランスミッタ回路であり、前記トランスミッタ信号が、前記ディスプレイデバイスの行更新に関連する前記非表示更新期間中に少なくとも２回遷移し、前記複合電極が、静電容量式感知と表示更新の両方のために構成される、トランスミッタ回路と、
前記トランスミッタ信号に対応する結果として生じた信号を、前記非表示更新期間中にレシーバ電極によって受信するように構成されたレシーバ回路とを備える処理システム。
概念５２．
前記結果として生じた信号に基づいて、前記複合電極と前記レシーバ電極の間のトランスキャパシタンスカップリングの第１の測定値を決定し、
位置情報の決定に前記第１の測定値を使用するように構成される概念５１に記載の処理システム。
概念５３．
前記トランスミッタ回路が、
前記ディスプレイデバイスのための表示更新信号を送信するように構成され、前記表示更新信号が、前記複合電極によって送信される概念５１に記載の処理システム。
概念５４．
復調回路であり、
前記結果として生じた信号を第１の手法で復調することによって第１の復調された出力を取得し、
前記結果として生じた信号を前記第１の手法と異なる第２の手法で復調することによって第２の復調された出力を取得するように構成された、復調回路と、
干渉の量に少なくとも部分的に基づいて、位置情報を決定するために前記第１の復調された出力を使用することから、位置情報を決定するために前記第２の復調された出力を使用することへ前記復調回路を切り替えるように構成された復調種類セレクタとをさらに備える概念５１に記載の処理システム。
概念５５．
前記処理システムが、前記トランスミッタ回路を利用して第１の周波数を有する前記トランスミッタ信号を送信するように構成され、
前記ディスプレイデバイスの少なくとも１つの非表示更新期間の継続時間を変更するように構成された継続時間チェンジャーであり、継続時間の前記変更が、前記複合電極によって前記第１のトランスミッタ信号を送信することから、前記複合電極によって第２のトランスミッタ信号を送信することへ前記トランスミッタ回路を切り替えさせ、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する、継続時間チェンジャーをさらに備える概念５１に記載の処理システム。
概念５６．
表示更新とタッチ感知の両方のために構成された複合電極を備えるディスプレイデバイスと、
前記複合電極の近くのレシーバ電極であり、タッチ感知のために構成された、レシーバ電極と、
前記ディスプレイデバイスと通信可能なように結合された処理システムであり、
前記ディスプレイデバイスの行更新に関連する非表示更新期間中に少なくとも２回遷移するトランスミッタ信号を、前記ディスプレイデバイスの行更新に関連する前記非表示更新期間中に前記複合電極によって送信し、
前記トランスミッタ信号に対応する結果として生じた信号を、前記非表示更新期間中に前記レシーバ電極によって受信するように構成された、処理システムとを備えるタッチスクリーンデバイス。
概念５７．
前記処理システムが、
前記結果として生じた信号に基づいて、前記複合電極と前記レシーバ電極の間のトランスキャパシタンスカップリングの変化の測定値を決定し、
前記測定値に基づいて位置情報を決定するように構成される概念５６に記載のタッチスクリーンデバイス。
概念５８．
前記処理システムが、
前記ディスプレイデバイスのための表示更新信号を送信するように構成され、前記表示更新信号が、前記複合電極によって送信される概念５６に記載のタッチスクリーンデバイス。
概念５９．
前記処理システムが、
前記結果として生じた信号を第１の手法で復調することによって第１の復調された出力を取得し、
前記結果として生じた信号を前記第１の手法と異なる第２の手法で復調することによって第２の復調された出力を取得し、
干渉の量に少なくとも部分的に基づいて、位置情報を決定するために前記第１の復調された出力を使用することから、位置情報を決定するために前記第２の復調された出力を使用することへ切り替えるようにさらに構成される概念５６に記載のタッチスクリーンデバイス。
概念６０．
前記処理が、
第１の周波数を有する前記トランスミッタ信号を送信し、
前記ディスプレイデバイスの少なくとも１つの非表示更新期間の継続時間を変更するように構成され、継続時間の前記変更が、前記複合電極によって前記トランスミッタ信号を送信することから、前記複合電極によって第２のトランスミッタ信号を送信することへの切り替えを引き起こし、前記第２のトランスミッタ信号が、第２の周波数を有し、前記変更が、前記ディスプレイデバイスのリフレッシュレートを実質的に変えず、前記変更が、干渉の量に少なくとも部分的に基づいて発生する概念５６に記載のタッチスクリーンデバイス。
【図１Ａ】
2013521548.tif 000003
【図１Ｂ】
2013521548.tif 000004
【図１Ｃ】
2013521548.tif 000005
【図１Ｄ】
2013521548.tif 000006
【図１Ｅ】
2013521548.tif 000007
【図２】
2013521548.tif 000008
【図３Ａ】
2013521548.tif 000009
【図３Ｂ】
2013521548.tif 000010
【図３Ｃ】
2013521548.tif 000011
【図３Ｄ】
2013521548.tif 000012
【図４】
2013521548.tif 000013
【図５Ａ】
2013521548.tif 000014
【図５Ｂ】
2013521548.tif 000015
【図６】
2013521548.tif 000016
【図７】
2013521548.tif 000017
【図８】
2013521548.tif 000018
【図９】
2013521548.tif 000019
【図１０】
2013521548.tif 000020
【図１１Ａ】
2013521548.tif 000021
【図１１Ｂ】
2013521548.tif 000022
【図１１Ｃ】
2013521548.tif 000023
【国際調査報告】
2013521548.tif 000024
2013521548.tif 000025